(57)【要約】【課題】抵抗変化特性を定量的に把握するために適した、新規な抵抗変化素子の評価方法を提供する。【解決手段】第１電極と、第２電極と、前記第１電極と前記第２電極との間に介在し前記第１電極と前記第２電極との間に与えられる電気的パルスに応じて抵抗状態が可逆的に変化する局所領域が形成された抵抗変化層と、を有する抵抗変化素子の評価方法であって、前記局所領域の抵抗状態を複数回変化させたときの各変化の後の当該抵抗状態を表す測定値を取得する取得ステップ（Ｓ２２１）と、取得された前記測定値の分布に基づいて、前記局所領域の構造的な特性に関する物理パラメータの評価量を、計算により決定する決定ステップ（Ｓ２３０）と、を含む。【選択図】図９
2014207046.tif 000002
【特許請求の範囲】
【請求項１】
第１電極と、第２電極と、前記第１電極と前記第２電極との間に介在し前記第１電極と前記第２電極との間に与えられる電気的パルスに応じて抵抗状態が可逆的に変化する局所領域が形成された抵抗変化層と、を有する抵抗変化素子の評価方法であって、
前記局所領域の抵抗状態を複数回変化させたときの各変化の後の当該抵抗状態を表す測定値を取得する取得ステップと、
取得された前記測定値の分布に基づいて、前記局所領域の構造的な特性に関する物理パラメータの評価量を、計算により決定する決定ステップと、
を含む抵抗変化素子の評価方法。
【請求項２】
前記決定ステップにおいて、前記物理パラメータが参照量である前記局所領域のモデルから理論的に導出される抵抗状態の分布である理論分布と、取得された前記複数の測定値で表される前記抵抗状態の分布である測定分布とを比較し、前記理論分布と前記測定分布とが所定の度合いで合致するときに、前記物理パラメータの前記評価量を前記参照量に決定する、
請求項１に記載の抵抗変化素子の評価方法。
【請求項３】
前記決定ステップにおいて、前記局所領域のモデルから、前記物理パラメータの互いに異なる複数の参照量のそれぞれについて理論的に導出される抵抗状態の理論分布と、前記測定分布とを比較し、前記物理パラメータの前記評価量を、前記測定分布と最もよく合致する前記理論分布が導出された前記参照量に決定する、
請求項２に記載の抵抗変化素子の評価方法。
【請求項４】
前記局所領域は、金属酸化物で構成され、
前記参照量は、前記局所領域の前記物理パラメータである寸法及び酸素の欠損に関する欠陥充填率を表し、
前記モデルは、前記参照量で表される寸法の３次元の領域を各々が酸素のサイトを表す複数の部分に分割してなるモデルであり、
前記評価方法は、前記モデルの前記複数のサイトのうち、前記参照量で表される欠陥充填率に応じた個数の前記サイトに、酸素欠損によるホッピングサイトをランダムに割り当てるシミュレーションを複数回行い、当該シミュレーションごとに、前記局所領域内において前記第１電極に最も近い部分およびその周辺部分から前記第２電極と接する面までつながった前記ホッピングサイトで構成されるフィラメントの形成状態から、前記抵抗変化素子全体での理論的な抵抗値を算出し、前記算出された複数の抵抗値の分布を前記理論分布として導出する、導出ステップを、さらに含む、
請求項２又は３に記載の抵抗変化素子の評価方法。
【請求項５】
前記導出ステップにおいて、前記局所領域のモデルから、前記物理パラメータが互いに異なる複数の参照量のそれぞれについて前記理論分布を導出し、
前記評価方法は、前記導出された前記理論分布を記憶する記憶ステップを、さらに含み、
前記決定ステップにおいて、前記記憶ステップで記憶された前記理論分布と、前記測定分布とを比較することにより、前記物理パラメータの前記評価量を決定する、
請求項４に記載の抵抗変化素子の評価方法。
【請求項６】
前記決定ステップにおいて、取得された前記複数の測定値の中間的な代表値とばらつき量とを求め、前記物理パラメータの前記評価量を、求めた前記代表値と前記ばらつき量とを評価式に代入して得られる量に決定する
請求項１に記載の抵抗変化素子の評価方法。
【請求項７】
前記物理パラメータは、前記局所領域の面積であり、
前記評価式は、前記代表値と前記ばらつき量とを乗じる項、または前記ばらつき量の二乗を前記代表値で除する項を含み、前記決定ステップにおいて、前記評価式に従って、前記代表値と前記ばらつき量とを乗じるか、または前記ばらつき量の二乗を前記代表値で除することにより、前記局所領域の面積の前記評価量を決定する、
請求項６に記載の抵抗変化素子の評価方法。
【請求項８】
前記物理パラメータは、前記局所領域の欠陥充填率であり、
前記評価式は、前記代表値を前記ばらつき量で除する項を含み、前記決定ステップにおいて、前記評価式に従って、前記代表値を前記ばらつき量で除することにより、前記局所領域の欠陥充填率の前記評価量を決定する、
請求項６又は７に記載の抵抗変化素子の評価方法。
【請求項９】
前記決定ステップにおいて、前記測定値の平均値又は中間値を、前記代表値として求める、
請求項６から８のいずれか１項に記載の抵抗変化素子の評価方法。
【請求項１０】
前記局所領域の抵抗状態を複数回変化させる書き換えステップと、
各変化の後の前記抵抗変化素子の前記抵抗状態を測定して測定値を得る測定ステップと、をさらに含み、
前記取得ステップにおいて、前記測定ステップで得られた複数の測定値を取得する、
請求項１から９のいずれか１項に記載の抵抗変化素子の評価方法。
【請求項１１】
前記決定ステップで決定された前記物理パラメータの前記評価量が所定の条件を満たすか否かに基づいて、前記抵抗変化素子が正常であるか不良であるかを判定する判定ステップを、さらに含む、
請求項１から１０のいずれか１項に記載の抵抗変化素子の評価方法。
【請求項１２】
前記判定ステップで前記抵抗変化素子が不良であると判定された場合に、前記抵抗変化素子を使用対象から除外する除外ステップを、さらに含む、
請求項１１に記載の抵抗変化素子の評価方法。
【請求項１３】
前記判定ステップで前記抵抗変化素子が不良であると判定された場合に、前記抵抗変化素子を修正する修正ステップを、さらに含む、
請求項１１または１２に記載の抵抗変化素子の評価方法。
【請求項１４】
第１電極と、第２電極と、前記第１電極と前記第２電極との間に介在し前記第１電極と前記第２電極との間に与えられる電気的パルスに応じて抵抗状態が可逆的に変化する局所領域が形成された抵抗変化層と、を有する抵抗変化素子の評価方法であって、
前記局所領域の構造的な特性に関する物理パラメータの評価量を取得する取得ステップと、
取得された前記物理パラメータの前記評価量が所定の条件を満たすか否かに基づいて、前記抵抗変化素子が正常であるか不良であるかを判定する判定ステップと、
を含む抵抗変化素子の評価方法。
【請求項１５】
第１電極と、第２電極と、前記第１電極と前記第２電極との間に介在し前記第１電極と前記第２電極との間に与えられる電気的パルスに応じて抵抗状態が可逆的に変化する局所領域が形成された抵抗変化層と、を有する抵抗変化素子を評価するための評価装置であって、
前記局所領域の抵抗状態を複数回変化させたときの各変化の後の当該抵抗状態を表す複数の測定値を取得する取得部と、
取得された前記複数の測定値の分布に基づいて、前記局所領域の構造的な特性に関する物理パラメータの評価量を、計算により決定する決定部と、
を備える評価装置。
【請求項１６】
前記決定部は、前記物理パラメータが参照量である前記局所領域のモデルから理論的に導出される抵抗状態の分布である理論分布と、取得された前記複数の測定値で表される前記抵抗状態の分布である測定分布とを比較し、前記理論分布と前記分布とが所定の度合いで合致するときに、前記物理パラメータの前記評価量を前記参照量に決定する、
請求項１５に記載の評価装置。
【請求項１７】
前記局所領域のモデルから、前記物理パラメータが互いに異なる参照量のそれぞれについて理論的に導出される抵抗状態の理論分布を記憶している記憶部を、さらに備え、
前記決定部は、前記記憶部に記憶されている前記理論分布と、前記測定分布とを比較することにより、前記物理パラメータの前記評価量を決定する、
請求項１６に記載の評価装置。
【請求項１８】
前記決定部は、取得された前記複数の測定値の中間的な代表値とばらつき量とを求め、前記物理パラメータの前記評価量を、求めた前記代表値と前記ばらつき量とを評価式に代入して得られる量に決定する、
請求項１５に記載の評価装置。
【請求項１９】
前記決定部で決定された前記物理パラメータの前記評価量が所定の条件を満たすか否かに基づいて、前記抵抗変化素子が正常であるか不良であるかを判定する判定部を、さらに備える、
請求項１５から１８のいずれか１項に記載の評価装置。
【請求項２０】
第１電極と、第２電極と、前記第１電極と前記第２電極との間に介在し前記第１電極と前記第２電極との間に与えられる電気的パルスに応じて抵抗状態が可逆的に変化する局所領域が形成された抵抗変化層と、を有する抵抗変化素子を検査するための検査装置であって、
請求項１９に記載の評価装置を備え、
前記抵抗変化素子が正常であるか不良であるかを、前記評価装置を用いて判定し、不良であると判定された場合に、前記抵抗変化素子を使用対象から除外する、
検査装置。
【請求項２１】
第１電極と、第２電極と、前記第１電極と前記第２電極との間に介在し前記第１電極と前記第２電極との間に与えられる電気的パルスに応じて抵抗状態が可逆的に変化する局所領域が形成された抵抗変化層と、を有する抵抗変化素子を検査するための検査装置であって、
請求項１９に記載の評価装置を備え、
前記抵抗変化素子が正常であるか不良であるかを、前記評価装置を用いて判定し、不良であると判定された場合に、前記抵抗変化素子を修正する、
検査装置。
【請求項２２】
第１電極と、第２電極と、前記第１電極と前記第２電極との間に介在し前記第１電極と前記第２電極との間に与えられる電気的パルスに応じて抵抗状態が可逆的に変化する局所領域が形成された抵抗変化層と、を有する抵抗変化素子と、
前記抵抗変化素子に対し、前記局所領域の抵抗状態を変化させるための電気パルスを印加する書き込み回路と、
前記抵抗変化素子の抵抗状態を表す測定値を取得する読み出し回路と、
前記書き込み回路を用いて前記局所領域の抵抗状態を複数回変化させ、前記読み出し回路を用いて各変化の後の当該抵抗状態を表す測定値を取得し、取得された前記複数の測定値の分布に基づいて、前記局所領域の構造的な特性に関する物理パラメータの評価量を、計算により決定する検査回路と、
を備える不揮発性記憶装置。
【請求項２３】
前記抵抗変化素子と同じ構成を有する冗長抵抗変化素子を、さらに備え、
前記検査回路は、決定された前記物理パラメータの前記評価量が所定の条件を満たすか否かに基づいて、前記抵抗変化素子が正常であるか不良であるかを判定し、前記抵抗変化素子が不良であると判定された場合に、前記抵抗変化素子を前記冗長抵抗変化素子で置き換える、
請求項２２に記載の不揮発性記憶装置。
【請求項２４】
前記検査回路は、決定された前記物理パラメータの前記評価量が所定の条件を満たすか否かに基づいて、前記抵抗変化素子が正常であるか不良であるかを判定し、前記抵抗変化素子が不良であると判定された場合に、前記書き込み回路を用いて前記抵抗変化素子を初期ブレイクする、
請求項２２に記載の不揮発性記憶装置。
【発明の詳細な説明】
【技術分野】
【０００１】
本発明は、印加される電気的パルスに応じて抵抗状態が可逆的に変化する抵抗変化素子の評価方法、評価装置、検査装置、及び不揮発性記憶装置に関する。
【背景技術】
【０００２】
近年、電気機器におけるデジタル技術の進展に伴い、音楽、画像、情報等のデータのデータ量が増大している。データ量の大きいデータを保存するために、記憶装置の大容量化に対する要求が高まってきている。
【０００３】
大容量の記憶装置として、例えば、抵抗変化型不揮発性記憶装置がある。抵抗変化型不揮発性記憶装置は、印加される電気的パルスに応じて抵抗状態が高抵抗状態と低抵抗状態との間で可逆的に変化し、その抵抗状態を保持し続ける抵抗変化素子をメモリセルに用いた記憶装置である。
【０００４】
抵抗変化素子は、一般的に、第１電極と、第２電極と、前記第１電極と前記第２電極との間に介在し前記第１電極と前記第２電極との間に与えられる電気的パルスに応じて抵抗状態が可逆的に変化する抵抗変化層とを有する、比較的簡単な素子構造を備えている（例えば、特許文献１および特許文献２を参照）。
【０００５】
さらに、抵抗変化素子は、比較的簡単な素子構造を備えている点に加え、高密度化が容易である点、および、従来の半導体プロセスとの整合性をとりやすい点で注目されている。
【０００６】
このような抵抗変化素子は、抵抗変化層に用いる材料である抵抗変化材料によって大きく２種類に分類される。
【０００７】
その一つは、特許文献１等に開示されているペロブスカイト結晶構造の材料（例えば、Ｐｒ１−ｘＣａｘＭｎＯ３（ＰＣＭＯ）、Ｌａ１−ｘＳｒｘＭｎＯ３（ＬＳＭＯ）、ＧｄＢａＣｏｘＯｙ（ＧＢＣＯ）等）を抵抗変化材料に用いた抵抗変化素子である。
【０００８】
また、他の一つは、２元系の金属酸化物を抵抗変化材料として用いた抵抗変化素子である。２元系の金属酸化物は、上述のペロブスカイト材料と比較しても組成および構造が非常に単純であるため、製造時における組成制御および成膜が容易である。その上、半導体製造プロセスとの整合性も比較的良好であるという利点もあり、近年多くの研究がなされている。
【０００９】
２元系の金属酸化物における抵抗変化のメカニズムについて、近年の研究では、前記金属酸化物中における導電性のフィラメントの発生及び消失を抵抗変化の要因として有力視する考え方がある（例えば、特許文献２および非特許文献１を参照）。
【先行技術文献】
【特許文献】
【００１０】
【特許文献１】米国特許第６４７３３３２号明細書
【特許文献２】特開２００８−３０６１５７号公報
【非特許文献】
【００１１】
【非特許文献１】Ｒ．Ｗａｓｅｒ  ｅｔ  ａｌ．，  Ａｄｖａｎｃｅｄ  Ｍａｔｅｒｉａｌｓ，  ＮＯ２１，  ２００９，  ｐｐ．２６３２−２６６３
【発明の概要】
【発明が解決しようとする課題】
【００１２】
上述した抵抗変化素子では、例えば、前記抵抗変化素子及び前記抵抗変化素子を用いて構成される製品の品質や信頼性を管理するために、前記抵抗変化素子の抵抗変化特性を定量的に把握することが重要である。
【００１３】
そこで、本発明は、抵抗変化特性を定量的に把握するために適した、新規な抵抗変化素子の評価方法、評価装置、検査装置、不揮発性記憶装置を提供することを目的としている。
【課題を解決するための手段】
【００１４】
前記課題を解決するために、本発明の１つの態様に係る抵抗変化素子の評価方法は、第１電極と、第２電極と、前記第１電極と前記第２電極との間に介在し前記第１電極と前記第２電極との間に与えられる電気的パルスに応じて抵抗状態が可逆的に変化する局所領域が形成された抵抗変化層と、を有する抵抗変化素子の評価方法であって、前記局所領域の抵抗状態を複数回変化させたときの各変化の後の当該抵抗状態を表す測定値を取得する取得ステップと、取得された前記測定値の分布に基づいて、前記局所領域の構造的な特性に関する物理パラメータの評価量を、計算により決定する決定ステップと、を含む。
【００１５】
また、本発明の１つの態様に係る抵抗変化素子の評価方法は、第１電極と、第２電極と、前記第１電極と前記第２電極との間に介在し前記第１電極と前記第２電極との間に与えられる電気的パルスに応じて抵抗状態が可逆的に変化する局所領域が形成された抵抗変化層と、を有する抵抗変化素子の評価方法であって、前記局所領域の構造的な特性に関する物理パラメータの評価量を取得する取得ステップと、取得された前記物理パラメータの前記評価量が所定の条件を満たすか否かに基づいて、前記抵抗変化素子が正常であるか不良であるかを判定する判定ステップと、を含む。
【００１６】
なお、これらの全般的又は具体的な態様は、評価装置、検査装置、又は不揮発性記憶装置で実現されてもよく、評価装置、検査装置、及び不揮発性記憶装置の任意の組み合わせで実現されてもよい。
【発明の効果】
【００１７】
本発明によれば、抵抗変化素子の抵抗変化特性を定量的に把握することができる。
【図面の簡単な説明】
【００１８】
【図１】図１は、各実施の形態に係る評価方法での評価対象としての抵抗変化素子の構成の一例を示す断面図である。
【図２】図２は、各実施の形態に係る評価方法での評価対象としての抵抗変化素子の構成の他の一例を示す断面図である。
【図３】図３は、前記抵抗変化素子の抵抗状態の変化の一例を示す図である。
【図４】図４は、局所領域の構造的な特性の一例を示す模式図である。
【図５Ａ】図５Ａは、局所領域内に形成されるフィラメントを表すパーコレーションモデルの一例を示す図である。
【図５Ｂ】図５Ｂは、局所領域内に形成されるフィラメントを表すパーコレーションモデルの一例を示す図である。
【図５Ｃ】図５Ｃは、局所領域内に形成されるフィラメントを表すパーコレーションモデルの一例を示す図である。
【図６】図６は、タンタル酸化物の薄膜における酸素含有率に応じた抵抗率の測定値及び理論値の一例を示すグラフである。
【図７】図７は、実施の形態１に係る抵抗変化素子の評価装置のハードウェア構成の一例を示すブロック図である。
【図８】図８は、実施の形態１に係る抵抗変化素子の評価装置の機能的な構成の一例を示すブロック図である。
【図９】図９は、実施の形態１に係る抵抗変化素子の評価方法の一例を示すフローチャートである。
【図１０】図１０は、抵抗変化素子のサンプルで実際に測定された抵抗値の測定分布の一例、及び局所領域のモデルから理論的に導出された当該抵抗変化素子の抵抗値の理論分布の一例を示す正規確率プロットである。
【図１１】図１１は、前記サンプルの抵抗変化層と第２電極との界面のＥＢＡＣ（電子ビーム吸収電流）写真である。
【図１２】図１２は、前記サンプルの局所領域を含む基板に垂直な断面のＴＥＭ（透過型電子顕微鏡）写真である。
【図１３】図１３は、実施の形態２に係る抵抗変化素子の評価装置のハードウェア構成の一例を示すブロック図である。
【図１４】図１４は、実施の形態２に係る抵抗変化素子の評価装置の機能的な構成の一例を示すブロック図である。
【図１５】図１５は、実施の形態２に係る抵抗変化素子の評価方法の一例を示すフローチャートである。
【図１６】図１６は、読み出し電流の標準偏差と分布範囲との関係を示すグラフである。
【図１７Ａ】図１７Ａは、抵抗変化素子のサンプルで実際に測定された電流の測定分布の一例を示す正規確率プロット、及び当該測定分布から決定された評価量の一例を示す図である。
【図１７Ｂ】図１７Ｂは、抵抗変化素子のサンプルで実際に測定された電流の測定分布の一例を示す正規確率プロット、及び当該測定分布から決定された評価量の一例を示す図である。
【図１８Ａ】図１８Ａは、抵抗変化素子の低抵抗状態におけるリテンション劣化率の、低抵抗状態の欠陥充填率及び高抵抗状態の欠陥充填率への依存性の一例を示す散布図である。
【図１８Ｂ】図１８Ｂは、抵抗変化素子の高抵抗状態における読み出し電流の分布範囲の、低抵抗状態の欠陥充填率及び高抵抗状態の欠陥充填率への依存性の一例を示す散布図である。
【図１９】図１９は、実施の形態３に係る抵抗変化素子の評価方法の一例を示すフローチャートである。
【図２０】図２０は、実施の形態３に係る抵抗変化素子の評価方法の他の一例を示すフローチャートである。
【図２１】図２１は、ＢＩＳＴ（ｂｕｉｌｔ−ｉｎ  ｓｅｌｆ  ｔｅｓｔ）機能を備えた記憶装置の構成の一例を示すブロック図である。
【図２２】図２２は、前記記憶装置に搭載されるデータアレイの構成の一例を示すブロック図である。
【図２３】図２３は、ＢＩＳＴ機能を備えた記憶装置におけるＢＩＳＴ動作の一例を示すフローチャートである。
【図２４】図２４は、ＢＩＳＴ機能を備えた記憶装置におけるＢＩＳＴ動作の一例を示すフローチャートである。
【図２５】図２５は、ＢＩＳＴ機能を備えた記憶装置におけるＢＩＳＴ動作の一例を示すフローチャートである。
【図２６】図２６は、初期ブレイク電圧を印加する前後における抵抗変化素子の構成の一例を示す断面図である。
【発明を実施するための形態】
【００１９】
［１．発明に至った経緯］
本発明の実施の形態について説明する前に、本発明に至った経緯について説明する。
【００２０】
図２６は、抵抗変化素子の構成の一例を模式的に示す断面図である。
【００２１】
図２６の（ａ）は、製造後の初期状態にある抵抗変化素子９００の構成を示している。初期状態の抵抗変化素子９００は、第１電極１０３と、第２電極１０６と、第１電極１０３と第２電極１０６との間に介在し、金属酸化物で構成された抵抗変化層１０４とで構成される。初期状態の抵抗変化素子９００の抵抗変化層１０４は、抵抗変化材料が堆積されたままの状態であり、抵抗値が通常の高抵抗状態よりも相当高い。そのため、初期状態の抵抗変化素子９００の抵抗値は、通常の書き込み電圧が印加されても変化しない。
【００２２】
図２６の（ｂ）は、動作可能状態にある抵抗変化素子９００の構成を示している。動作可能状態の抵抗変化素子９００の抵抗値は、通常の書き込み電圧の印加に応じて、高抵抗状態と低抵抗状態との間で可逆的に変化する。
【００２３】
抵抗変化素子９００は、例えば、製造後、通常の書き込み電圧よりも高い初期ブレイク電圧が印加されることによって、初期状態から動作可能状態へ移行する。初期ブレイク電圧の印加によって抵抗変化素子を動作可能状態へ移行させる操作は、初期ブレイク動作と呼ばれる。
【００２４】
動作可能状態の抵抗変化素子９００の抵抗変化層１０４には、局所領域１０５が形成されている。
【００２５】
局所領域１０５とは、抵抗変化層１０４のうち、第１電極１０３と第２電極１０６との間に電圧を印加したときに、支配的に電流が流れる領域である。電流が、抵抗変化層１０４内に存在する欠陥の連なりであるフィラメントを介して流れると仮定すると、局所領域１０５は、抵抗変化層１０４の他の領域と比べて欠陥充填率が高く、フィラメントが形成されやすい領域であると言える。
【００２６】
背景技術の欄で述べたように、抵抗変化素子の抵抗変化は、フィラメントの発生及び消失によって生じるとする考え方がある。
【００２７】
そこで、本願発明者らは、フィラメントの発生及び消失が前述した局所領域内において生じると考え、局所領域の構造的な特性（一例として、寸法及び欠陥充填率）から、抵抗変化素子の抵抗変化特性が定量的に把握できる可能性に着目する。
【００２８】
例えば、複数の抵抗変化素子に対し、高抵抗化及び低抵抗化の書き込み動作を多くの回数繰り返すうちに、抵抗値の分布範囲が広がり、また抵抗状態のリテンション特性に劣る抵抗変化素子が顕在化することが、経験的に知られている。
【００２９】
ところが、潜在的な不良を持つそのような抵抗変化素子でも、初期の段階では、他の抵抗変化素子とほぼ同一の抵抗値や読み出し電流値を示すことが多いため、抵抗値や電流値を直接的に用いたのでは、不良が顕在化する前にそのような抵抗変化素子をスクリーニングすることは困難である。
【００３０】
これに対し、局所領域の構造的な特性には、このような潜在的な不良、言い換えれば、抵抗変化素子の抵抗変化動作に関する将来の信頼性、が反映されている可能性がある。
【００３１】
本願発明者らは、このような着目に基づいて鋭意検討を行った結果、抵抗変化特性を定量的に把握するために適した、新規な抵抗変化素子の評価方法に到達した。
【００３２】
なお、上記の説明は、以下で説明する実施の形態を理解する上で一助とするものであり、本発明は上記の説明によって限定されない。
【００３３】
［２．実施の形態の概要］
開示される１つの態様に係る評価方法は、第１電極と、第２電極と、前記第１電極と前記第２電極との間に介在し前記第１電極と前記第２電極との間に与えられる電気的パルスに応じて抵抗状態が可逆的に変化する局所領域が形成された抵抗変化層と、を有する抵抗変化素子の評価方法であって、前記局所領域の抵抗状態を複数回変化させたときの各変化の後の当該抵抗状態を表す測定値を取得する取得ステップと、取得された前記測定値の分布に基づいて、前記局所領域の構造的な特性に関する物理パラメータの評価量を、計算により決定する決定ステップと、を含む。
【００３４】
このような方法によれば、前記測定値は、前記局所領域の抵抗状態が複数回変化できる状態を保ったまま、つまり前記抵抗変化素子を破壊することなく、取得される。前記測定値は、例えば、電気的に測定することができる抵抗値又は電流値であってもよい。そのため、前記抵抗変化素子が不揮発性記憶装置などの製品に組み込まれてからでも、製品の状態のまま非破壊で、かつ、評価用の特別な抵抗変化素子のサンプルを用意することなく、前記評価量を決定することができる。
【００３５】
決定された前記評価量を用いて、前記抵抗変化素子が正常であるか不良であるかを判定し、不良であると判定された前記抵抗変化素子をスクリーニングすることにより、前記抵抗変化素子を用いて構成される製品の歩留まりや信頼性を向上させることができる。
【００３６】
また、例えば、前記決定ステップにおいて、前記物理パラメータが参照量である前記局所領域のモデルから理論的に導出される抵抗状態の分布である理論分布と、取得された前記複数の測定値で表される前記抵抗状態の分布である測定分布とを比較し、前記理論分布と前記測定分布とが所定の度合いで合致するときに、前記物理パラメータの前記評価量を、前記参照量に決定してもよい。
【００３７】
このような方法によれば、前記理論分布と前記測定分布との比較に基づいて、前記評価量が前記参照量であるか否かを決定することができる。
【００３８】
また、例えば、前記決定ステップにおいて、前記局所領域のモデルから、前記物理パラメータが互いに異なる複数の参照量のそれぞれについて理論的に導出される抵抗状態の理論分布と、前記測定分布とを比較し、前記物理パラメータの前記評価量を、前記測定分布と最もよく合致する前記理論分布が導出された前記参照量に決定してもよい。
【００３９】
このような方法によれば、複数の前記理論分布と前記測定分布との比較に基づいて、前記評価量を、複数の前記参照量の中で最も適切な参照量に決定することができる。
【００４０】
また、例えば、前記局所領域は、金属酸化物で構成され、前記参照量は、前記局所領域の前記物理パラメータである寸法及び酸素の欠損に関する欠陥充填率を表し、前記モデルは、前記参照量で表される寸法の３次元の領域を各々が酸素のサイトを表す複数の部分に分割してなるモデルであり、前記評価方法は、前記モデルの前記複数のサイトのうち、前記参照量で表される欠陥充填率に応じた個数の前記サイトに、酸素欠損によるホッピングサイトをランダムに割り当てるシミュレーションを複数回行い、当該シミュレーションごとに、前記局所領域内において前記第１電極に最も近い部分およびその周辺部分から前記第２電極と接する面までつながった前記ホッピングサイトで構成されるフィラメントの形成状態から、前記抵抗変化素子全体での理論的な抵抗値を算出し、前記算出された複数の抵抗値の分布を前記理論分布として導出する、導出ステップを、さらに含んでもよい。
【００４１】
このような方法によれば、前記測定分布と比較される前記理論分布を、シミュレーションにより導出することができる。
【００４２】
また、例えば、前記導出ステップにおいて、前記局所領域のモデルから、前記物理パラメータが互いに異なる複数の参照量のそれぞれについて前記理論分布を導出し、前記評価方法は、前記導出された前記理論分布を記憶する記憶ステップを、さらに含み、前記決定ステップにおいて、前記記憶ステップで記憶された前記理論分布と、前記測定分布とを比較することにより、前記物理パラメータの前記評価量を決定してもよい。
【００４３】
このような方法によれば、前記複数の理論分布をあらかじめ導出して記憶しておき、前記測定分布と比較することができる。
【００４４】
また、例えば、前記決定ステップにおいて、取得された前記複数の測定値の中間的な代表値とばらつき量とを求め、前記物理パラメータの前記評価量を、求めた前記代表値と前記ばらつき量とを評価式に代入して得られる量に決定してもよい。
【００４５】
このような方法によれば、前記測定分布から求めた前記代表値と前記ばらつき量とを前記評価式に代入することによって前記評価量を決定することができる。
【００４６】
また、例えば、前記物理パラメータは、前記局所領域の面積であり、前記評価式は、前記代表値と前記ばらつき量とを乗じる項、または前記ばらつき量の二乗を前記代表値で除する項を含み、前記決定ステップにおいて、前記評価式に従って、前記代表値と前記ばらつき量とを乗じるか、または前記ばらつき量の二乗を前記代表値で除することにより、前記局所領域の面積の前記評価量を決定してもよい。
【００４７】
このような方法によれば、前記評価式に従って前記局所領域の面積を決定することができる。
【００４８】
また、例えば、前記物理パラメータは、前記局所領域の欠陥充填率であり、前記評価式は、前記代表値を前記ばらつき量で除する項を含み、前記決定ステップにおいて、前記評価式に従って、前記代表値を前記ばらつき量で除することにより、前記局所領域の欠陥充填率の前記評価量を決定してもよい。
【００４９】
このような方法によれば、前記評価式に従って前記局所領域の欠陥充填率を決定することができる。
【００５０】
また、例えば、前記決定ステップにおいて、前記測定値の平均値又は中間値を、前記代表値として求めてもよい。
【００５１】
このような方法によれば、前記代表値として、前記測定値の平均値又は中間値を用いることができる。
【００５２】
また、例えば、前記評価方法は、前記局所領域の抵抗状態を複数回変化させる書き換えステップと、各変化の後の前記抵抗変化素子の前記抵抗状態を測定して測定値を得る測定ステップと、をさらに含み、前記取得ステップにおいて、前記測定ステップで得られた複数の測定値を取得してもよい。
【００５３】
このような方法によれば、前記抵抗変化素子の抵抗状態の書き換えと、前記抵抗状態の測定とを、前記評価方法の中で実行することができる。
【００５４】
また、例えば、前記評価方法は、前記決定ステップで決定された前記物理パラメータの前記評価量が所定の条件を満たすか否かに基づいて、前記抵抗変化素子が正常であるか不良であるかを判定する判定ステップを、さらに含んでもよい。
【００５５】
このような方法によれば、前記決定された評価量に基づいて、前記抵抗変化素子が正常であるか不良であるかを判定することができる。
【００５６】
また、例えば、前記評価方法は、前記抵抗変化素子が不良であると判定された場合に、前記抵抗変化素子を使用対象から除外する除外ステップを、さらに含んでもよい。
【００５７】
このような方法によれば、不良の抵抗変化素子が使用対象から除外されるので、前記抵抗変化素子を用いて構成される製品の歩留まりや信頼性を向上させることができる。
【００５８】
また、例えば、前記評価方法は、前記抵抗変化素子が不良であると判定された場合に、前記抵抗変化素子を修正する修正ステップを、さらに含んでもよい。
【００５９】
このような方法によれば、不良の抵抗変化素子が修正されるので、前記抵抗変化素子を用いて構成される製品の歩留まりや信頼性を向上させることができる。
【００６０】
開示される１つの態様に係る評価方法は、第１電極と、第２電極と、前記第１電極と前記第２電極との間に介在し前記第１電極と前記第２電極との間に与えられる電気的パルスに応じて抵抗状態が可逆的に変化する局所領域が形成された抵抗変化層と、を有する抵抗変化素子の評価方法であって、前記局所領域の構造的な特性に関する物理パラメータの評価量を取得する取得ステップと、取得された前記物理パラメータの前記評価量が所定の条件を満たすか否かに基づいて、前記抵抗変化素子が正常であるか不良であるかを判定する判定ステップと、を含む。
【００６１】
このような方法によれば、前記局所領域の構造的な特性に関する前記物理パラメータの前記評価量に基づいて、前記抵抗変化素子が正常であるか不良であるかを判定するので、前記抵抗変化素子の将来の信頼性を予測でき、その結果、不良が顕在化する前に、前記抵抗変化素子をスクリーニングすることが可能になる。
【００６２】
開示される１つの態様に係る評価装置は、第１電極と、第２電極と、前記第１電極と前記第２電極との間に介在し前記第１電極と前記第２電極との間に与えられる電気的パルスに応じて抵抗状態が可逆的に変化する局所領域が形成された抵抗変化層と、を有する抵抗変化素子を評価するための評価装置であって、前記局所領域の抵抗状態を複数回変化させたときの各変化の後の当該抵抗状態を表す複数の測定値を取得する取得部と、取得された前記複数の測定値の分布に基づいて、前記局所領域の構造的な特性に関する物理パラメータの評価量を、計算により決定する決定部と、を備える。
【００６３】
このような構成によれば、前記測定値は、前記局所領域の抵抗状態が複数回変化できる状態を保ったまま、つまり前記抵抗変化素子を破壊することなく、取得される。前記測定値は、例えば、電気的に測定することができる抵抗値又は電流値であってもよい。そのため、前記抵抗変化素子が不揮発性記憶装置などの製品に組み込まれてからでも、製品の状態のまま非破壊で、かつ、評価用の特別な抵抗変化素子のサンプルを用意することなく、前記評価量を決定することができる。
【００６４】
また、例えば、前記決定部は、前記物理パラメータが参照量である前記局所領域のモデルから理論的に導出される抵抗状態の分布である理論分布と、取得された前記複数の測定値で表される前記抵抗状態の分布である測定分布とを比較し、前記理論分布と前記分布とが所定の度合いで合致するときに、前記物理パラメータの前記評価量を前記参照量に決定してもよい。
【００６５】
また、例えば、前記局所領域のモデルから、前記物理パラメータが互いに異なる参照量のそれぞれについて理論的に導出される抵抗状態の理論分布を記憶している記憶部を、さらに備え、前記決定部は、前記記憶部に記憶されている前記理論分布と、前記測定分布とを比較することにより、前記物理パラメータの前記評価量を決定してもよい。
【００６６】
また、例えば、前記決定部は、取得された前記複数の測定値の中間的な代表値とばらつき量とを求め、前記物理パラメータの前記評価量を、求めた前記代表値と前記ばらつき量とを評価式に代入して得られる値に決定してもよい。
【００６７】
また、例えば、前記評価装置は、前記決定部で決定された前記物理パラメータの前記評価量が所定の条件を満たすか否かに基づいて、前記抵抗変化素子が正常であるか不良であるかを判定する判定部を、さらに備えてもよい。
【００６８】
これらの構成によれば、前記評価方法について述べた効果と同様の効果を有する評価装置が得られる。
【００６９】
開示される１つの態様に係る検査装置は、第１電極と、第２電極と、前記第１電極と前記第２電極との間に介在し前記第１電極と前記第２電極との間に与えられる電気的パルスに応じて抵抗状態が可逆的に変化する局所領域が形成された抵抗変化層と、を有する抵抗変化素子を検査するための検査装置であって、前述した評価装置を備え、前記抵抗変化素子が正常であるか不良であるかを、前記評価装置を用いて判定し、不良であると判定された場合に、前記抵抗変化素子を使用対象から除外する。
【００７０】
開示される１つの態様に係る検査装置は、第１電極と、第２電極と、前記第１電極と前記第２電極との間に介在し前記第１電極と前記第２電極との間に与えられる電気的パルスに応じて抵抗状態が可逆的に変化する局所領域が形成された抵抗変化層と、を有する抵抗変化素子を検査するための検査装置であって、前述した評価装置を備え、前記抵抗変化素子が正常であるか不良であるかを、前記評価装置を用いて判定し、不良であると判定された場合に、前記抵抗変化素子を修正する。
【００７１】
これらの構成によれば、前記評価方法について述べた効果と同様の効果を有する検査装置が得られる。
【００７２】
開示される１つの態様に係る不揮発性記憶装置は、第１電極と、第２電極と、前記第１電極と前記第２電極との間に介在し前記第１電極と前記第２電極との間に与えられる電気的パルスに応じて抵抗状態が可逆的に変化する局所領域が形成された抵抗変化層と、を有する抵抗変化素子と、前記抵抗変化素子に対し、前記局所領域の抵抗状態を変化させるための電気的パルスを印加する書き込み回路と、前記抵抗変化素子の抵抗状態を表す測定値を取得する読み出し回路と、前記書き込み回路を用いて前記局所領域の抵抗状態を複数回変化させ、前記読み出し回路を用いて各変化の後の当該抵抗状態を表す測定値を取得し、取得された前記複数の測定値の分布に基づいて、前記局所領域の構造的な特性に関する物理パラメータの評価量を、計算により決定する検査回路と、を備える。
【００７３】
また、例えば、前記不揮発性記憶装置は、前記抵抗変化素子と同じ構成を有する冗長抵抗変化素子を、さらに備え、前記検査回路は、決定された前記物理パラメータの前記評価量が所定の条件を満たすか否かに基づいて、前記抵抗変化素子が正常であるか不良であるかを判定し、前記抵抗変化素子が不良であると判定された場合に、前記抵抗変化素子を前記冗長抵抗変化素子で置き換えてもよい。
【００７４】
また、例えば、前記検査回路は、決定された前記物理パラメータの前記評価量が所定の条件を満たすか否かに基づいて、前記抵抗変化素子が正常であるか不良であるかを判定し、前記抵抗変化素子が不良であると判定された場合に、前記書き込み回路を用いて前記抵抗変化素子を初期ブレイクしてもよい。
【００７５】
これらの構成によれば、前記評価方法について述べた効果と同様の効果を有する不揮発性記憶装置が得られる。
【００７６】
以下、本発明の実施の形態について、図面を参照しながら詳細に説明する。なお、各図は、説明のための模式図であり、厚さおよび各部の大きさの比などは、必ずしも厳密に表したものではない。
【００７７】
また、各図において、実質的に同一の構成、動作、および効果を表す要素については、同一の符号を付す。
【００７８】
さらに、以下で説明する実施の形態は、いずれも本発明の一具体例を示すものである。以下の実施の形態で示される構成要素、構成要素の配置位置および接続形態、処理、処理の順序、数値、材料などは、一例であり、本発明を限定する趣旨ではない。また、以下の実施の形態における構成要素のうち、本発明の最上位概念を示す独立請求項に記載されていない構成要素については、形態を構成する任意の構成要素として説明される。
【００７９】
［３．評価対象としての抵抗変化素子］
準備として、後述する各実施の形態に係る評価方法に従って評価される抵抗変化素子について説明する。
【００８０】
図１は、評価対象としての抵抗変化素子の構成の一例を示す断面図である。
【００８１】
抵抗変化素子１００は、印加される電気的パルスに応じて抵抗状態が高抵抗状態と低抵抗状態との間で可逆的に変化し、その抵抗状態を保持しつづける素子である。抵抗変化素子１００は、図１に示すように、基板１０１と、基板１０１上に形成された層間絶縁膜１０２と、層間絶縁膜１０２上に形成された第１電極１０３と、第１電極１０３上に形成された抵抗変化層１０４と、第２電極１０６とを備えている。抵抗変化層１０４の内部には、局所領域１０５が形成されている。
【００８２】
基板１０１は、例えば、シリコン単結晶基板または半導体基板を用いることができる。なお、基板１０１は、シリコン単結晶基板または半導体基板に限定されるものではない。抵抗変化層１０４は比較的低い基板温度で形成することが可能であるため、基板１０１の材料として、例えば、樹脂材料を用いることもできる。
【００８３】
第１電極１０３は、例えば、タングステン（Ｗ）、ニッケル（Ｎｉ）、タンタル（Ｔａ）、チタン（Ｔｉ）、アルミニウム（Ａｌ）、窒化タンタル（ＴａＮ）、窒化チタン（ＴｉＮ）など、抵抗変化層１０４を構成する金属と比べて、標準電極電位がより低い材料で構成されてもよい。また、第２電極１０６は、例えば、白金（Ｐｔ）、イリジウム（Ｉｒ）、パラジウム（Ｐｄ）など、抵抗変化層１０４を構成する金属及び第１電極１０３を構成する材料と比べて、標準電極電位がより高い材料で構成されてもよい。標準電極電位は、その値が高いほど酸化しにくい特性を表す。
【００８４】
抵抗変化層１０４は、第１電極１０３と第２電極１０６との間に与えられる電圧極性に基づいて、抵抗状態が可逆的に高抵抗状態と低抵抗状態との間を遷移する層である。抵抗変化層１０４は、酸素不足型の金属酸化物から構成される。酸素不足型の金属酸化物とは、化学量論的組成を有する金属酸化物（通常は絶縁体）の組成よりも酸素含有量（原子比：総原子数に占める酸素原子数の割合）が少ない金属酸化物のことを言う。当該金属酸化物の母体金属は、例えば、タンタル（Ｔａ）、ハフニウム（Ｈｆ）、チタニウム（Ｔｉ）、タングステン（Ｗ）、ニッケル（Ｎｉ）、鉄（Ｆｅ）等の遷移金属、あるいは、アルミニウム（Ａｌ）から少なくとも１つ選択される。
【００８５】
局所領域１０５は、抵抗変化層１０４のうち、第１電極１０３と第２電極１０６との間に電圧を印加したときに、支配的に電流が流れる領域であり、局所領域１０５には任意の数及び形状のフィラメントが形成され得る。
【００８６】
なお、局所領域１０５は、第１電極１０３に接さず、第２電極１０６に接していてもよい。そのような構成によれば、第１電極１０３は抵抗変化に影響しないので、第１電極１０３の材料選択の自由度が高まる。第１電極１０３と第２電極１０６とを、同じ材料で構成してもよい。第１電極１０３と第２電極１０６とを同じプロセス条件で生成すれば、プロセスを簡素化することが可能になる。
【００８７】
そのような構成は、例えば、抵抗変化層１０４が積層構造を有する抵抗変化素子において適用され得る。
【００８８】
図２は、局所領域１０５が、第１電極１０３に接さず、第２電極１０６に接している抵抗変化素子の構成の一例を示す断面図である。図２に示される抵抗変化素子１００では、抵抗変化層１０４は、第１電極１０３に接続する第１抵抗変化層１０４１と、第２電極１０６に接続する第２抵抗変化層１０４２の少なくとも２層を積層して構成される。局所領域１０５は、第２抵抗変化層１０４２の内部に形成される。
【００８９】
第１抵抗変化層１０４１は、酸素不足型の第１の金属酸化物で構成され、第２抵抗変化層１０４２は、第１の金属酸化物よりも酸素不足度が小さい第２の金属酸化物で構成されている。抵抗変化素子の第２抵抗変化層１０４２中には、電気的パルスの印加に応じて酸素不足度が可逆的に変化する微小な局所領域１０５が形成されている。局所領域１０５は、酸素欠陥サイトから構成されるフィラメントを含むと考えられる。
【００９０】
酸素不足度とは、金属酸化物において、その化学量論的組成（複数の化学量論的組成が存在する場合は、そのなかで最も抵抗値が高い化学量論的組成）の酸化物を構成する酸素の量に対し、不足している酸素の割合をいう。化学量論的組成の金属酸化物は、他の組成の金属酸化物と比べて、より安定でありかつより高い抵抗値を有している。
【００９１】
例えば、金属がタンタル（Ｔａ）の場合、上述の定義による化学量論的組成の酸化物はＴａ２Ｏ５であるので、ＴａＯ２．５と表現できる。ＴａＯ２．５の酸素不足度は０％であり、ＴａＯ１．５の酸素不足度は、酸素不足度＝（２．５−１．５）／２．５＝４０％となる。また、酸素過剰の金属酸化物は、酸素不足度が負の値となる。なお、本明細書中では、特に断りのない限り、酸素不足度は正の値、０、負の値も含むものとして説明されている。
【００９２】
酸素不足度の小さい酸化物は化学量論的組成の酸化物により近いため抵抗値が高く、酸素不足度の大きい酸化物は酸化物を構成する金属により近いため抵抗値が低い。
【００９３】
酸素含有率とは、総原子数に占める酸素原子の比率である。例えば、Ｔａ２Ｏ５の酸素含有率は、総原子数に占める酸素原子の比率（Ｏ／（Ｔａ＋Ｏ））であり、７１．４ａｔｍ％となる。したがって、酸素不足型のタンタル酸化物は、酸素含有率は０より大きく、７１．４ａｔｍ％より小さいことになる。例えば、第１金属酸化物を構成する金属と、第２金属酸化物を構成する金属とが同種である場合、酸素含有率は酸素不足度と対応関係にある。すなわち、前記第２金属酸化物の酸素含有率が前記第１金属酸化物の酸素含有率よりも大きいとき、前記第２金属酸化物の酸素不足度は前記第１金属酸化物の酸素不足度より小さい。
【００９４】
抵抗変化層１０４を構成する金属としては、遷移金属、またはアルミニウム（Ａｌ）を用いることができる。遷移金属としては、タンタル（Ｔａ）、チタン（Ｔｉ）、ハフニウム（Ｈｆ）、ジルコニウム（Ｚｒ）、ニオブ（Ｎｂ）、タングステン（Ｗ）、ニッケル（Ｎｉ）等を用いることができる。遷移金属は複数の酸化状態をとることができるため、異なる抵抗状態を酸化還元反応により実現することが可能である。
【００９５】
例えば、抵抗変化層１０４にタンタル酸化物を用いる場合、第１抵抗変化層１０４１を構成する第１金属酸化物の組成をＴａＯｘと表した場合にｘが０．８以上１．９以下であり、かつ、第２抵抗変化層１０４２を構成する第２金属酸化物の組成をＴａＯｙと表した場合にｙがｘの値よりも大である場合に、抵抗変化層１０４の抵抗値を安定して高速に変化させることができる。この場合、第２抵抗変化層１０４２の膜厚は、１ｎｍ以上８ｎｍ以下としてもよい。
【００９６】
また、抵抗変化層１０４にハフニウム酸化物を用いる場合、第１抵抗変化層１０４１を構成する第１金属酸化物の組成をＨｆＯｘと表した場合にｘが０．９以上１．６以下であり、かつ、第２抵抗変化層１０４２を構成する第２金属酸化物の組成をＨｆＯｙと表した場合にｙがｘの値よりも大である場合に、抵抗変化層１０４の抵抗値を安定して高速に変化させることができる。この場合、第２抵抗変化層１０４２の膜厚は、３ｎｍ以上４ｎｍ以下としてもよい。
【００９７】
また、抵抗変化層１０４にジルコニウム酸化物を用いる場合、第１抵抗変化層１０４１を構成する第１金属酸化物の組成をＺｒＯｘと表した場合にｘが０．９以上１．４以下であり、かつ、第２抵抗変化層１０４２を構成する第２金属酸化物の組成をＺｒＯｙと表した場合にｙがｘの値よりも大である場合に、抵抗変化層の抵抗値を安定して高速に変化させることができる。この場合、第２抵抗変化層１０４２の膜厚は、１ｎｍ以上５ｎｍ以下としてもよい。
【００９８】
第１抵抗変化層１０４１となる第１金属酸化物を構成する第１金属と、第２抵抗変化層１０４２となる第２金属酸化物を構成する第２金属とは、異なる金属を用いてもよい。この場合、前記第２金属酸化物は、前記第１金属酸化物よりも酸素不足度が小さい、つまり抵抗が高くてもよい。このような構成とすることにより、抵抗変化時に第１電極１０３と第２電極１０６との間に印加された電圧は、第２抵抗変化層１０４２に、より多く分配され、前記第２金属酸化物中で発生する酸化還元反応をより起こしやすくすることができる。
【００９９】
また、前記第１金属酸化物を構成する第１金属と、前記第２金属酸化物を構成する第２金属とを、互いに異なる材料を用いる場合、前記第２金属の標準電極電位は、前記第１金属の標準電極電位より低くてもよい。標準電極電位は、その値が高いほど酸化しにくい特性を表す。これにより、標準電極電位が相対的に低い前記第２金属酸化物で構成された第２抵抗変化層１０４２において、酸化還元反応が起こりやすくなる。なお、抵抗変化現象は、抵抗が高い第２金属酸化物中に形成された微小な局所領域中で酸化還元反応が起こってフィラメント（導電パス）が変化することにより、その抵抗値（酸素不足度）が変化すると考えられる。
【０１００】
例えば、前記第１金属酸化物に酸素不足型のタンタル酸化物（ＴａＯｘ）を用い、前記第２金属酸化物にチタン酸化物（ＴｉＯ２）を用いることにより、安定した抵抗変化動作が得られる。チタン（標準電極電位＝−１．６３ｅＶ）はタンタル（標準電極電位＝−０．６ｅＶ）より標準電極電位が低い材料である。このように、前記第２金属酸化物に前記第１金属酸化物より標準電極電位が低い金属の酸化物を用いることにより、前記第２金属酸化物中でより酸化還元反応が発生しやすくなる。
【０１０１】
その他の組み合わせとして、前記第２金属酸化物にアルミニウム酸化物（Ａｌ２Ｏ３）を用いることができる。例えば、前記第１金属酸化物に酸素不足型のタンタル酸化物（ＴａＯｘ）を用い、前記第２金属酸化物にアルミニウム酸化物（Ａｌ２Ｏ３）を用いてもよい。
【０１０２】
積層構造の抵抗変化層１０４における抵抗変化現象は、高抵抗化及び低抵抗化のいずれも、抵抗が高い第２金属酸化物で構成された第２抵抗変化層１０４２中に形成された微小な局所領域１０５中で酸化還元反応が起こって、局所領域１０５中のフィラメント（導電パス）が変化することにより、その抵抗値が変化すると考えられる。
【０１０３】
つまり、第２抵抗変化層１０４２に接続する第２電極１０６に、第１電極１０３を基準にして正の電圧を印加したとき、抵抗変化層１０４中の酸素イオンが第２抵抗変化層１０４２側に引き寄せられる。これによって、第２抵抗変化層１０４２中に形成された微小な局所領域１０５中で酸化反応が発生し、酸素不足度が減少する。その結果、局所領域１０５中のフィラメントが形成されにくくなり、抵抗値が増大すると考えられる。
【０１０４】
逆に、第２抵抗変化層１０４２に接続する第２電極１０６に、第１電極１０３を基準にして負の電圧を印加したとき、第２抵抗変化層１０４２中の酸素イオンが第１抵抗変化層１０４１側に押しやられる。これによって、第２抵抗変化層１０４２中に形成された微小な局所領域１０５中で還元反応が発生し、酸素不足度が増加する。その結果、局所領域１０５中のフィラメントが形成されやすくなり、抵抗値が減少すると考えられる。
【０１０５】
酸素不足度がより小さい第２金属酸化物で構成される第２抵抗変化層１０４２に接続されている第２電極１０６は、例えば、白金（Ｐｔ）、イリジウム（Ｉｒ）、パラジウム（Ｐｄ）など、前記第２金属酸化物を構成する金属及び第１電極１０３を構成する材料と比べて、標準電極電位がより高い材料で構成する。また、酸素不足度がより高い第１金属酸化物で構成される第１抵抗変化層１０４１に接続されている第１電極１０３は、例えば、タングステン（Ｗ）、ニッケル（Ｎｉ）、タンタル（Ｔａ）、チタン（Ｔｉ）、アルミニウム（Ａｌ）、窒化タンタル（ＴａＮ）、窒化チタン（ＴｉＮ）など、前記第１金属酸化物を構成する金属と比べて、標準電極電位がより低い材料で構成してもよい。標準電極電位は、その値が高いほど酸化しにくい特性を表す。
【０１０６】
すなわち、第２電極１０６の標準電極電位Ｖ２、前記第２金属酸化物を構成する金属の標準電極電位Ｖｒ２、前記第１金属酸化物を構成する金属の標準電極電位Ｖｒ１、及び第１電極１０３の標準電極電位Ｖ１は、Ｖｒ２＜Ｖ２、かつＶ１＜Ｖ２なる関係を満足してもよい。さらには、Ｖ２＞Ｖｒ２で、Ｖｒ１≧Ｖ１の関係を満足してもよい。
【０１０７】
上記の構成とすることにより、第２電極１０６と第２抵抗変化層１０４２との界面近傍の第２金属酸化物中において、選択的に酸化還元反応が発生し、安定した抵抗変化現象が得られる。
【０１０８】
また、複数の局所領域１０５が、抵抗変化素子１００の抵抗変化層１０４に、形成されていてもよい。複数の局所領域１０５を１つと見なした場合と、実際に局所領域１０５が１つのみ形成されている場合とで、抵抗変化素子１００の抵抗変化特性の差が小さい場合には、局所領域１０５が複数形成されていても、精度よく評価することができる。ただし、１つの抵抗変化層１０４内に、１つの局所領域１０５が形成されている場合は、抵抗変化素子１００の抵抗値のばらつき量を低減できるため、抵抗変化素子１００を精度よく評価することが可能である。
【０１０９】
なお、抵抗変化層１０４に形成されている局所領域１０５の数は、例えば、ＥＢＡＣ解析によって確認することができる。
【０１１０】
なお、抵抗変化素子１００と、例えば、固定抵抗、トランジスタ、またはダイオードなどとを組み合わせることによってメモリセルを構成してもよい。
【０１１１】
次に、上述のように構成される抵抗変化素子の動作について簡単に説明する。抵抗変化素子の動作としては、初期ブレイク動作、書き込み動作、及び読み出し動作がある。
【０１１２】
図３は、これらの動作における抵抗変化素子１００の抵抗値の変化の一例を示している。
【０１１３】
初期ブレイク動作では、製造後、局所領域１０５が形成されていない抵抗変化素子１００に対し、初期ブレイク電圧を印加する。局所領域１０５が形成されていない抵抗変化素子１００の抵抗値は、図３の初期抵抗値Ｒｉで示されるように、高抵抗状態における抵抗値ＲＨよりも高い値、例えば、１０７〜１０８Ωとなっている。
【０１１４】
図３では、抵抗変化素子１００に、負極性の初期ブレイク電圧を印加した場合の抵抗変化を示している。負極性の電圧とは、第１電極１０３の電位よりも第２電極１０６の電位が低い電圧である。負極性の初期ブレイク電圧を印加すると、抵抗変化素子は、抵抗状態が初期抵抗値Ｒｉから低抵抗状態における抵抗値ＲＬまで変化する。
【０１１５】
なお、初期ブレイク動作において、初期抵抗値Ｒｉから高抵抗状態における抵抗値ＲＨに向けて抵抗値が変化するように、正極性の初期ブレイク電圧を印加してもよい。正極性の電圧とは、第１電極１０３の電位よりも第２電極１０６の電位が高い電圧である。初期ブレイク動作は、例えば、製造直後に実行され、その後、通常の書き込み動作または読み出し動作が実行される。
【０１１６】
書き込み動作では、抵抗変化素子１００の第１電極１０３と第２電極１０６との間に、所定の閾値電圧よりも振幅の大きい電気的パルス（以下、適宜「書き込み用電圧」と称する）を印加する。書き込み用電圧の極性により、高抵抗状態または低抵抗状態に変化する。具体的には、書き込み用電圧として、例えば、パルス幅が１００ｎｓの電気的パルスを印加する。
【０１１７】
図３では、初期ブレイク電圧の印加後、正極性の書き込み用電圧（図３の正電圧パルス）を印加している。これにより、抵抗変化素子１００の抵抗状態は、低抵抗状態から高抵抗状態に変化している。
【０１１８】
さらに、図３では、正電圧パルスの印加後、負極性の書き込み用電圧（図３の負電圧パルス）を印加している。これにより、抵抗変化素子１００の抵抗状態は、高抵抗状態から低抵抗状態に変化している。
【０１１９】
読み出し動作では、抵抗変化素子に対し上記閾値電圧よりも振幅が小さい電気的パルス（読み出し用電圧）を印加する。読み出し用電圧を印加しても、抵抗変化素子１００の抵抗値は変化しない。読み出し動作において、抵抗変化素子に流れる電流をセンスすることにより、抵抗変化素子１００の抵抗状態が低抵抗状態であるか高抵抗状態であるかを求め、抵抗変化素子に記憶された値を読み出すことが可能になる。
【０１２０】
［４．局所領域のモデルと理論的な抵抗値の算出］
次に、本願発明者らが考案した、上述の局所領域の抵抗状態を表すためのモデルについて説明する。後述する各実施の形態に係る評価方法は、当該モデルに基づいている。
【０１２１】
図４は、局所領域の構造的な特性の一例を示す模式図である。
【０１２２】
図４では、局所領域１０５の構造的な特性に関する物理パラメータの一例として、局所領域１０５の寸法及び欠陥充填率ｐが示されている。局所領域１０５の寸法は、局所領域１０５の径φ又は面積Ｓと長さｌとで表され、局所領域１０５の欠陥充填率ｐは、酸素イオンの欠損の密度で表される。
【０１２３】
上記のような構造的な特性を持つ局所領域１０５の抵抗状態を、パーコレーションモデルによって、次のように表現する。
【０１２４】
前記パーコレーションモデルは、図４に示される径φ又は面積Ｓ、及び長さｌの３次元の領域によって局所領域１０５を表し、当該３次元の領域を格子状に分割して得られる複数の部分領域（３次元のメッシュ）によって局所領域１０５内のサイトを表す。各々の部分領域は、一辺がサイト間距離ｄの立方体形状の領域である。局所領域１０５の径φ、長さｌ、及びサイト間距離ｄから、局所領域１０５に含まれるサイトの数および配置が決定される。各サイトは、局所領域１０５内での酸素イオンの位置を模式的に表している。
【０１２５】
局所領域１０５内のサイトのうち、図４に示される欠陥充填率ｐに応じた数のサイトに、欠陥サイトをランダムに割り当てるシミュレーションを行う。欠陥充填率ｐが大きい程、多くの欠陥サイトが配置される。ここで、欠陥サイトとは、局所領域１０５を構成している金属酸化物において、当該金属酸化物が化学量論的組成を有する場合に存在しているべき酸素イオンかが欠損しているサイトを意味する。なお、欠陥サイトの密度は、酸素不足度とも対応している。つまり、酸素不足度が大きくなると、欠陥サイトの密度も大きくなる。
【０１２６】
前記パーコレーションモデルでは、隣接する欠陥サイト間で電流が流れることを利用して、導電パスである局所領域１０５内のフィラメントは、局所領域１０５中の酸素欠陥サイトがつながることにより形成されると仮定する。欠陥サイトの密度が小さい場合は、欠陥サイトはつながらず、フィラメントは形成されない。欠陥サイトの密度がある閾値を越えると、第１電極１０３に最も近い部分およびその周辺部分から、第２電極１０６と接する面まで欠陥サイトがつながる。すなわち、フィラメントが形成される。
【０１２７】
このように、局所領域１０５の構造的な特性に関する物理パラメータの量及びサイト間距離に応じたパーコレーションモデルにおけるフィラメントの形成状態によって、局所領域１０５の抵抗状態が表現される。
【０１２８】
図５Ａ〜図５Ｃは、シミュレーションによりいくつかのサイトに欠陥サイトが割り当てられたパーコレーションモデルの一例を示す図である。図５Ａ〜図５Ｃでは、説明のため、局所領域１０５の基板１０１と垂直な断面内に位置するサイトを示している。
【０１２９】
シミュレーションでは欠陥サイトをランダムに割り当てるので、局所領域の構造的な特性に関する物理パラメータの量が同一であっても、シミュレーションごとに異なる抵抗状態を示す結果が得られる。
【０１３０】
図５Ａ〜図５Ｃにおいて、数字が記載されているサイトは、欠陥サイトを表している。数字が記載されているサイトのうち、“０”と記載されたサイトは、フィラメントを形成しないサイトである。“０”以外の数字が記載されたサイトは、フィラメントを形成するサイトである。数字が記載されていないサイトは、酸素イオンが存在しているサイトである。
【０１３１】
なお、図５Ａ〜図５Ｃに示すように、局所領域１０５に形成されるフィラメントは、１つに限られるものではなく、複数のフィラメントが形成される場合もある。パーコレーションモデルでは、フィラメントは、確率的な本数と形状で形成される。フィラメントの本数と形状とに応じて表される局所領域１０５の抵抗状態の分布は、局所領域１０５の抵抗値の分布に対応する。
【０１３２】
１つの抵抗状態が決まった前記パーコレーションモデルは、各欠陥サイトに対応するノードを有し、かつ各隣接するノード間がサイト間抵抗ｒで接続されている等価回路で表される。
【０１３３】
局所領域１０５の抵抗値は、当該等価回路における第１電極１０３に接続するノードと第２電極１０６に接続するノードとの間の抵抗値として、周知の回路網解析の考え方を用いて、次のようにして計算される。
【０１３４】
局所領域１０５には、第１電極１０３及び第２電極１０６を介して直流電圧が印加されているとする。すなわち、第１電極１０３に接続するノードと、第２電極１０６に接続するノードとの間に、前記直流電圧が印加されているとする。
【０１３５】
各ノードの電位Ｖは、キルヒホッフの法則にしたがって、隣接するノードの電位とサイト間抵抗ｒとを含む式で表される。全てのノードの電位についてそのような式を立て、境界条件を与えたのち、各ノードについて反復計算を行なうことで、各ノードの電位が決定される。
【０１３６】
決定された各ノードの電位を用いて、各隣接するノード間を流れる直流電流が計算される。第２電極１０６に接続するノードに流れる電流の合計値と前記等価回路に印加されている前記直流電圧の値とから、前記等価回路全体の抵抗値、すなわち局所領域１０５の抵抗値が理論的に算出される。
【０１３７】
抵抗変化素子１００の抵抗値Ｒは、例えば、算出された局所領域１０５の抵抗値に、第１電極１０３及び第２電極１０６の抵抗成分に対応する固定的な抵抗値を加えることにより、算出してもよい。
【０１３８】
このように、シミュレーションによって１つの抵抗状態が定められたパーコレーションモデルについて、抵抗変化素子１００の抵抗値Ｒが算出される。抵抗値Ｒは、以下の式（１）に示すように、局所領域１０５の径φ、長さｌ、欠陥充填率ｐ、サイト間抵抗ｒ、及びサイト間距離ｄの関数で表される。
【０１３９】
【数１】
2014207046.tif 000003
【０１４０】
ここで、局所領域１０５の径φ、長さｌ、欠陥充填率ｐは、抵抗変化素子１００の抵抗変化特性の評価に用いられる変量であり、サイト間抵抗ｒおよびサイト間距離ｄは、抵抗変化層１０４を構成する材料に対応する値があらかじめ特定されている定数である。
【０１４１】
サイト間抵抗ｒおよびサイト間距離ｄの値を特定する方法について、抵抗変化層１０４が、タンタル酸化物（ＴａＯｘ）で構成されている場合の例で説明する。
【０１４２】
抵抗変化層１０４がＴａ２Ｏ５の結晶構造を持つと仮定し、当該結晶構造の単位格子の形状を立方体で近似する。このとき、隣接する当該立方体間の距離を、Ｔａ２Ｏ５の結晶構造において隣接する単位格子の中心間距離を、隣接する方向が異なる全ての単位格子の対について平均した値とする。隣接する当該立方体間の距離が、サイト間距離ｄに対応する。
【０１４３】
サイト間抵抗ｒおよびサイト間距離ｄの値は、タンタル酸化物の薄膜の抵抗率に関する測定値と理論値との比較によって、次のようにして特定される。
【０１４４】
酸素含有率が特定の値になるように制御してタンタル酸化物の薄膜を形成し、形成された薄膜の抵抗率を実際に測定して、抵抗率（測定値）を得る。
【０１４５】
酸素含有率の前記特定の値に対応する欠陥充填率ｐでのタンタル酸化物の抵抗率（理論値）を、サイト間抵抗ｒ及びサイト間距離ｄの異なる複数の組み合わせの各々について、前述したパーコレーションモデル及び回路網解析の考え方を用いて、算出する。前記抵抗率（理論値）として、例えば、複数回のシミュレーションにおける抵抗率の中央値を算出してもよい。
【０１４６】
欠陥充填率ｐと酸素含有率とは、例えば、次のように対応付けられる。酸素が欠損していないタンタル酸化物（Ｔａ２Ｏ５）の欠陥充填率ｐを０とし、酸素の欠損率が最大となるタンタル酸化物（Ｔａ２Ｏ３．２５）の欠陥充填率ｐを１とする。このとき、酸素の欠損数をｎとすると、ｐ＝ｎ／１．７５で表される。
【０１４７】
タンタル酸化物に対応するサイト間抵抗ｒおよびサイト間距離ｄの値を、前記抵抗率（測定値）との差分がを最も小さい抵抗率（理論値）が算出されたシミュレーションで用いたサイト間抵抗ｒおよびサイト間距離ｄの値に特定する。
【０１４８】
図６は、タンタル酸化物の薄膜における酸素含有率に応じた抵抗率の測定値及び理論値の一例を示すグラフである。図６中の円は、酸素含有率が異なる４つのタンタル酸化物の薄膜での抵抗率の測定値を示している。図６中の実線は、サイト間抵抗ｒ及びサイト間距離ｄの値の異なる組み合わせで算出された抵抗率の理論値のなかで、前記抵抗率の各々の測定値との差分が対応する酸素含有率において最小となる理論値を示している。図６中の実線で示される抵抗率（理論値）が算出されたシミュレーションでのサイト間抵抗ｒおよびサイト間距離ｄの値が、タンタル酸化物のサイト間抵抗ｒおよびサイト間距離ｄの値として特定される。
【０１４９】
以上説明したように、径φ、長さｌ、欠陥充填率ｐの各量に対応するパーコレーションモデルから、局所領域１０５の１つの抵抗状態に対応する抵抗変化素子１００の抵抗値Ｒが、シミュレーションによって算出される。そして、複数回のシミュレーションによって、複数の抵抗値Ｒの分布である理論分布が導出される。
【０１５０】
本願発明者らは、実験により、抵抗値Ｒの分布が対数正規分布に従うという知見を得た。当該実験では、タンタル酸化物の薄膜の電気伝導度が温度依存性を有すること、つまり、当該電気伝導度の対数が、低温領域ではＴ−１／４に比例し、室温付近では1／Ｔに比例することを確認した。これは、タンタル酸化物の薄膜における電気伝導がホッピング伝導によって生じることを示している。ホッピング伝導を生じる導電材料の抵抗値の分布が、対数正規分布に従うことは、周知である（例えば、非特許文献２：Ｙａｋｏｖ  Ｍ．Ｓｔｒｅｌｎｉｋｅｒ  ｅｔ．ａｌ．，Ｐｈｙｓ．  Ｒｅｖ．  Ｅ  ７２，  ０１６１２１（２００５））。
【０１５１】
式（２）に、ホッピング伝導を生じる局所領域１０５の抵抗値Ｒの期待値Ｐ（Ｒ）の一例を示す。
【０１５２】
【数２】
2014207046.tif 000004
【０１５３】
３次元の領域について、ｂ＝０．１８、ｖ＝０．８８である。また、ｐは欠陥充填率、Ｌは局所領域１０５の寸法に関するパラメータ（例えば、径φ、長さｌ）である。Ｒは抵抗値を示す変数、〈Ｒ〉は抵抗値の平均値、αは係数である。
【０１５４】
このような知見から、抵抗変化素子１００の抵抗値の分布は、測定値及び理論値の何れについても、抵抗値の集合そのもので記述してもよく、また、抵抗値の分布を近似する対数正規分布を規定する分布パラメータ（例えば、抵抗値の平均値〈Ｒ〉及び係数σ）で記述してもよい。
【０１５５】
本願発明者らが考案した抵抗変化素子の評価方法では、抵抗変化素子の抵抗変化特性を、前記局所領域の構造的な特性に関する物理パラメータを通して、定量的に評価する。
【０１５６】
前記評価方法の１つの態様は、大まかには、前記局所領域の抵抗状態を複数回変化させたときの各変化の後の当該抵抗状態を表す測定値を取得する取得ステップと、取得された前記測定値の分布に基づいて、前記局所領域の構造的な特性に関する物理パラメータの評価量を、計算により決定する決定ステップとを含む。上述したパーコレーションモデルは、当該評価量を決定するための計算に用いられる。
【０１５７】
また、前記評価方法の他の態様は、前記局所領域の構造的な特性に関する物理パラメータの評価量を取得する取得ステップと、取得された前記物理パラメータの前記評価量が所定の条件を満たすか否かに基づいて、前記抵抗変化素子が正常であるか不良であるかを判定する判定ステップと、を含む。
【０１５８】
以下では、そのような評価方法、評価装置、検査装置、及び不揮発性記憶装置の実施の形態について、詳細に説明する。
【０１５９】
（実施の形態１）
［５．抵抗状態の理論分布と測定分布との比較に基づく評価方法］
実施の形態１に係る抵抗変化素子の評価方法、及び当該評価方法を実行するための評価装置について説明する。
【０１６０】
実施の形態１に係る評価方法は、前記物理パラメータが参照量である前記局所領域のモデルから理論的に導出される抵抗状態の分布である理論分布と、局所領域の抵抗状態を複数回変化させたときの各変化の後の前記抵抗状態の分布（以下、理論分布との対照のために測定分布と言う）とを比較し、前記理論分布と前記測定分布とが所定の度合いで合致するときに、前記物理パラメータの前記評価量を前記参照量に決定する方法である。
【０１６１】
図７は、実施の形態１に係る抵抗変化素子の評価方法を実行するための評価装置のハードウェア構成の一例を示すブロック図である。
【０１６２】
図７に示すように、評価装置２００は、記憶部２０１と、プロセッサ２０２と、入力装置２０３と、出力装置２０４と、を備えて構成されている。
【０１６３】
記憶部２０１は、例えば、ハードディスクドライブ、ＲＡＭ（Ｒａｎｄｏｍ  Ａｃｃｅｓｓ  Ｍｅｍｏｒｙ）、又はそれらの組み合わせで構成される。プロセッサ２０２は、ＭＰＵ（Ｍｉｃｒｏ−Ｐｒｏｃｅｓｓｉｎｇ  Ｕｎｉｔ）で構成されている。入力装置２０３は、例えば、キーボード、マウス、又はそれらの組み合わせで構成される。出力装置２０４は、例えば、ディスプレイで構成される。
【０１６４】
記憶部２０１には、評価プログラム２２０、１つ以上の理論分布データ２３０、及び測定分布データ２４０が格納されている。
【０１６５】
評価プログラム２２０は、実施の形態１に係る抵抗変化素子の評価方法をプロセッサ２０２に実行させるためのプログラムである。
【０１６６】
理論分布データ２３０は、抵抗変化素子１００の抵抗状態の理論的な分布を表すデータである。当該理論的な分布は、局所領域１０５の構造的な特性に関する物理パラメータが参照量であるパーコレーションモデルから導出される。物理パラメータの異なる複数の参照量のそれぞれに対応する理論分布データ２３０によって、データベースが構成されていてもよい。理論分布データ２３０は、例えば、抵抗値（理論値）の集合であってもよく、当該抵抗値（理論値）の分布を近似する対数正規分布の分布パラメータであってもよい。
【０１６７】
測定分布データ２４０は、抵抗変化素子１００の局所領域１０５の抵抗状態を複数回変化させたときの各変化の後の当該抵抗状態を表す測定値の分布を表すデータである。測定分布データ２４０は、高抵抗状態の抵抗変化素子１００での測定値の分布データと、低抵抗状態の抵抗変化素子１００での測定値の分布データとを含む。測定分布データ２４０は、例えば、高抵抗状態及び低抵抗状態のそれぞれの抵抗値（測定値）の集合であってもよく、当該抵抗値（測定値）の分布を近似する対数正規分布の分布パラメータであってもよい。
【０１６８】
図８は、評価装置２００の機能的な構成の一例を示すブロック図である。
【０１６９】
評価装置２００は、理論分布導出部２２１と、データベース作成部２２２と、測定分布取得部２２３と、評価量決定部２２４と、良否判定部２２５と、を備えている。図８に示される各部は、プロセッサ２０２が評価プログラム２２０を実行することにより実現されるソフトウェア機能であってもよい。
【０１７０】
理論分布導出部２２１は、局所領域１０５の構造的な特性に関する物理パラメータの量が参照量であるパーコレーションモデルから、抵抗変化素子１００の理論的な抵抗状態を表す理論値を複数算出し、算出された当該複数の理論値の分布を表す理論分布データ２３０を導出する。
【０１７１】
データベース作成部２２２は、前記物理パラメータの各異なる複数の参照量を理論分布導出部２２１に通知し、理論分布導出部２２１にて前記複数の参照量の各々に対応して導出される理論分布データ２３０によるデータベースを作成する。
【０１７２】
測定分布取得部２２３は、局所領域１０５の抵抗状態を複数回変化させたときの各変化の後の前記抵抗状態を表す電気的な測定値を取得し、取得された測定値の分布を表す測定分布データ２４０を導出する。
【０１７３】
評価量決定部２２４は、抵抗変化素子１００の前記物理パラメータの評価量を、測定分布データ２４０で表される分布と所定の度合いで合致する分布を表す理論分布データ２３０に対応する参照量に決定する。
【０１７４】
良否判定部２２５は、決定された前記評価量が所定の条件を満たすか否かに基づいて、抵抗変化素子１００が正常であるか不良であるかを判定する。
【０１７５】
次に、上述のように構成された評価装置２００によって実行される抵抗変化素子の評価方法について説明する。
【０１７６】
図９は、実施の形態１に係る抵抗変化素子の評価方法の一例を示すフローチャートである。
【０１７７】
図９に示される評価方法では、複数の理論分布データ２３０によるデータベースを作成するステップ（Ｓ２１０）と、抵抗変化素子１００の抵抗値を実際に測定して測定分布データ２４０を記憶するステップ（Ｓ２２０）と、測定分布データ２４０とデータベース中の理論分布データ２３０とを比較して局所領域１０５の物理パラメータの評価量を決定するステップ（Ｓ２３０）とが実行される。なお、データベースを作成するステップＳ２１０は、抵抗変化素子１００の評価時に実行してもよいし、あらかじめ実行しておいてもよい。
【０１７８】
理論分布導出部２２１は、サイト間抵抗ｒおよびサイト間距離ｄを取得する（Ｓ２１１）。上述したように、サイト間抵抗ｒおよびサイト間距離ｄは、抵抗変化層１０４を構成する材料によって決まる定数である。サイト間抵抗ｒおよびサイト間距離ｄは、キーボード等の入力装置２０３から入力するように構成してもよいし、抵抗変化層１０４の材料を入力し、理論分布導出部２２１で算出するように構成してもよい。
【０１７９】
データベース作成部２２２は、局所領域の径φ、長さｌ、欠陥充填率ｐの各参照値の異なる複数の組み合わせを、理論分布導出部２２１に通知する。
【０１８０】
理論分布導出部２２１は、ステップＳ２１１で取得されたサイト間抵抗ｒ、サイト間距離ｄを用いて、データベース作成部２２２から通知された局所領域の径φ、長さｌ、欠陥充填率ｐの各参照値の各組み合わせに対応する理論分布データ２３０を導出する（Ｓ２１２）。
【０１８１】
データベース作成部２２２は、理論分布導出部２２１で導出された各理論分布データ２３０と、局所領域の径φ、長さｌ、欠陥充填率ｐの各参照値とを対応付けて表すデータベースを作成し、記憶部２０１に格納する。
【０１８２】
測定分布取得部２２３は、抵抗変化素子１００の、低抵抗状態における抵抗値および高抵抗状態における抵抗値を表す複数の測定値を取得する（Ｓ２２１）。取得される測定値は、抵抗変化素子１００に、実際に、書き込み用の負電圧パルスおよび正電圧パルスを交互に加えて局所領域１０５の抵抗状態を複数回変化させたときの、各変化の後に測定された値である。
【０１８３】
測定分布取得部２２３は、ステップＳ２２１で取得された測定値で表される抵抗値の分布を表す測定分布データ２４０を記憶部２０１に格納する（Ｓ２２２）。
【０１８４】
評価量決定部２２４は、ステップＳ２１２において作成されたデータベースから、ステップＳ２２２において記憶された測定分布データ２４０で表される分布と最もよく合致する分布を表す理論分布データ２３０を検索する。
【０１８５】
測定分布データ２４０で表される分布と理論分布データ２３０で表される分布との合致の度合いは、例えば、次のように定義される。
【０１８６】
測定分布データ２４０及び理論分布データ２３０が、それぞれ対数正規分布の分布パラメータである場合、前記分布パラメータの差分が小さいほど、測定分布データ２４０で表される分布と理論分布データ２３０で表される分布との合致の度合いが大きいと定義する。
【０１８７】
また、測定分布データ２４０及び理論分布データ２３０が、それぞれ抵抗値（測定値）の集合及び抵抗値（理論値）の集合である場合、測定値の正規確率プロットに当てはめた直線の傾きと、理論値の正規確率プロットに当てはめた直線の傾きとの差分が小さいほど、測定分布データ２４０で表される分布と理論分布データ２３０で表される分布との合致の度合いが大きいと定義する。なお、所定のしきい値との比較により、値が極端に大きいデータ及び値が極端に小さいデータを、前記直線の当てはめから除外してもよい。
【０１８８】
評価量決定部２２４は、上述した定義に従って、測定分布データ２４０で表される分布と最もよく合致する分布を表す理論分布データ２３０を検索し、抵抗変化素子１００の前記物理パラメータの評価量を、検索された理論分布データ２３０に対応する参照量に決定する。
【０１８９】
局所領域１０５の抵抗状態が変化する前後で、局所領域１０５の径φ及び長さｌは変化せず、欠陥充填率ｐのみが変化するとき、検索範囲は、局所領域１０５の径φ及び長さｌの参照値の組み合わせがどれも同じ複数の理論分布データ２３０に絞られる。
【０１９０】
評価量決定部２２４は、そのような検索範囲のなかから、高抵抗状態の抵抗値（測定値）の分布と最もよく合致する１つの理論分布データ２３０と、低抵抗状態の抵抗値（測定値）の分布と最もよく合致する１つの理論分布データ２３０と、を検索する。
【０１９１】
評価量決定部２２４は、検索された理論分布データ２３０に対応する径φ、長さｌ、高抵抗状態の欠陥充填率ｐＨＲ、低抵抗状態の欠陥充填率ｐＬＲの参照量を、局所領域１０５の径φ、長さｌ、高抵抗状態での欠陥充填率ｐＨＲ、低抵抗状態での欠陥充填率ｐＬＲの評価量として、それぞれ決定する。
【０１９２】
本願発明者らは、実際に作成した抵抗変化素子１００のサンプルを前記評価方法に従って評価する実験を行った。以下、当該実験について説明する。
【０１９３】
まず、図２に示される抵抗変化素子１００のサンプルを作製し、前記評価方法に従って、前記サンプルの局所領域１０５の評価量を決定した。
【０１９４】
図１０は、前記サンプルで実際に測定された抵抗値の測定分布の一例、及び局所領域１０５のモデルから理論的に算出された抵抗値の理論分布の一例を示す正規確率プロットである。図１０には、局所領域１０５のモデルから理論的に算出された抵抗値の理論分布の中で前記測定分布と最もよく合致する理論分布が示されている。
【０１９５】
図１０において、横軸は抵抗値の対数を示し、縦軸は標準偏差を示している。円は高抵抗状態の抵抗値（測定値）を示し、菱形は、低抵抗状態の抵抗値（測定値）を示している。星形は、高抵抗状態の抵抗値（理論値）を示し、五角形は、低抵抗状態の抵抗値（理論値）を示している。
【０１９６】
分布の合致から、前記サンプルの局所領域１０５の評価量を、図１０の抵抗値（理論値）の分布が得られたシミュレーションでの参照量である、径φ＝２７．２ｎｍ、長さｌ＝２．７４ｎｍ、高抵抗状態における欠陥充填率ｐＨＲ＝０．１７、低抵抗状態における欠陥充填率ｐＬＲ＝０．４４に決定した。
【０１９７】
次に、前記サンプルの局所領域１０５を、実際に観察した。
【０１９８】
図１１は、前記サンプルの局所領域１０５を、ＥＢＡＣ解析装置により解析した結果を示す図である。図１１は、前記サンプルの第２電極１０６の膜厚を極薄く（抵抗変化層１０４の表面が解析可能な程度に）形成した上で、抵抗変化層１０４の第２電極１０６との界面をＥＢＡＣにより撮影した写真である。
【０１９９】
図１１に示すＥＢＡＣ写真には、１か所のみ明るい領域が確認できる。なお、図１１において、明るい領域と暗い領域は、低抵抗の領域と高抵抗の領域にそれぞれ対応している。つまり、明るい領域は、局所領域１０５に対応する。図１１に示すＥＢＡＣ写真より、前記サンプルの局所領域１０５の直径は約３０ｎｍであることが分かる。これは、前記評価方法で決定した局所領域１０５の径φ２７．２ｎｍとほぼ同じである。
【０２００】
図１２は、図１１に示す局所領域１０５の断面を、ＴＥＭにより観察した結果を示す図である。図１２に示すＴＥＭ写真により、白く表されている抵抗が高い領域（第２抵抗変化層１０４２に対応）の厚さは約３ｎｍであることが分かる。これは、前記評価方法で決定した局所領域１０５の長さｌ＝２．７４ｎｍとほぼ同じである。
【０２０１】
上述の実験結果から、実施の形態１に係る評価方法によって、局所領域の構造的な特性に関する物理パラメータの妥当な評価量が決定されることが確かめられた。
【０２０２】
以上説明したように、実施の形態１の抵抗変化素子の評価方法および評価装置によれば、抵抗変化素子１００の抵抗状態を複数回変化させたときの各変化の後の抵抗状態を表す測定値の分布から、抵抗変化素子１００の局所領域１０５の構造的な特性に関する物理パラメータの評価量を決定できる。
【０２０３】
前記測定値は、局所領域１０５の抵抗状態が複数回変化できる状態を保ったまま、つまり抵抗変化素子１００を破壊することなく、測定される。そのため、前記評価量の決定は、抵抗変化素子１００が不揮発性記憶装置などの製品に組み込まれてからでも、製品の状態のまま非破壊で、かつ、評価用の特別な抵抗変化素子のサンプルを用いることなく、行うことができる。
【０２０４】
決定された前記評価量は、例えば、抵抗変化素子１００の良否判定及びスクリーニングに用いることができる。
【０２０５】
例えば、良否判定部２２５にて、物理パラメータの評価量が所定の条件を満たさない抵抗変化素子１００を不良であると判定することができる。そして、不良であると判定された抵抗変化素子１００をスクリーニングすることにより、抵抗変化素子１００を用いて構成される製品の歩留まりや信頼性を向上させることができる。抵抗変化素子１００の良否判定及びスクリーニングについては後ほど詳しく説明する。
【０２０６】
（実施の形態２）
［６．抵抗状態の測定分布と評価式とに基づく評価方法］
実施の形態２に係る抵抗変化素子の評価方法、及び当該評価方法を実行するための評価装置について説明する。
【０２０７】
実施の形態１では、前記局所領域のモデルから理論的に導出される抵抗状態の分布である理論分布と、前記局所領域の抵抗状態を複数回変化させたときの各変化の後の前記抵抗状態の分布である測定分布との比較に基づいて、当該抵抗変化素子の局所領域の物理パラメータの評価量を決定した。
【０２０８】
本願発明者らは、さらに検討を進めた結果、前記評価量を表す新規な評価式を見出した。当該評価式は、前記測定分布に含まれる前記抵抗状態を表す測定値の中間的な代表値とばらつき量との関数で表される。そこで、実施の形態２では、当該評価式を用いた評価方法を提案する。
【０２０９】
実施の形態２に係る評価方法は、局所領域の抵抗状態を複数回変化させたときの各変化の後の前記抵抗状態を表す測定値の中間的な代表値とばらつき量とを求め、前記物理パラメータの前記評価量を、求めた前記代表値と前記ばらつき量とを前記評価式に代入して得られる量に決定する方法である。
【０２１０】
図１３は実施の形態２に係る抵抗変化素子の評価方法を実行するための評価装置のハードウェア構成の一例を示すブロック図である。
【０２１１】
図１３に示すように、評価装置３００は、記憶部２０１と、プロセッサ２０２と、入力装置２０３と、出力装置２０４と、を備えて構成されている。
【０２１２】
記憶部２０１には、評価プログラム３２０、評価式３５０、及び測定分布データ３４０が格納される。
【０２１３】
評価プログラム３２０は、実施の形態２に係る抵抗変化素子の評価方法をプロセッサ２０２に実行させるためのプログラムである。
【０２１４】
測定分布データ３４０は、抵抗変化素子１００の局所領域１０５の抵抗状態を複数回変化させたときの各変化の後の当該抵抗状態を表す測定値の分布を表すデータである。測定分布データ３４０は、高抵抗状態の抵抗変化素子１００での測定値の分布データと、低抵抗状態の抵抗変化素子１００での測定値の分布データとを含む。測定分布データ３４０は、例えば、高抵抗状態及び低抵抗状態のそれぞれの電流値（既知の印加電圧に対応する測定値）の集合であってもよい。
【０２１５】
評価式３５０は、抵抗変化素子１００の局所領域１０５の構造的な特性に関する物理パラメータの評価量を表す、前記測定値の中間的な代表値とばらつき量との関数である。評価式３５０は、評価プログラム３２０に含まれていてもよい。
【０２１６】
図１４は、評価装置３００の機能的な構成の一例を示すブロック図である。
【０２１７】
評価装置３００は、測定分布取得部３２３と、評価量決定部３２４と、良否判定部３２５と、を備えている。図１４に示される各部は、プロセッサ２０２が評価プログラム３２０を実行することにより実現されるソフトウェア機能であってもよい。
【０２１８】
測定分布取得部３２３は、局所領域１０５の抵抗状態を複数回変化させたときの各変化の後の前記抵抗状態を表す複数の測定値を取得し、測定分布データ３４０として記憶部２０１に格納する。
【０２１９】
評価量決定部３２４は、測定分布データ３４０で表される測定値の中間的な代表値とばらつき量とを求め、抵抗変化素子１００の前記物理パラメータの評価量を、求めた前記代表値と前記ばらつき量とを評価式３５０に代入して得られる量に決定する。
【０２２０】
良否判定部３２５は、決定された前記評価量が所定の条件を満たすか否かに基づいて、抵抗変化素子１００が正常であるか不良であるかを判定する。
【０２２１】
次に、上述のように構成された評価装置３００によって実行される抵抗変化素子の評価方法について説明する。
【０２２２】
図１５は、実施の形態２に係る抵抗変化素子の評価方法の一例を示すフローチャートである。
【０２２３】
図１５に示される評価方法では、局所領域１０５の欠陥充填率ｐの評価量を決定するステップ（Ｓ３１０）と、局所領域１０５の面積Ｓの評価量を決定するステップ（Ｓ３２０）とが実行される。なお、ステップＳ３１０の一部分とステップＳ３２０の一部分とは共用される。
【０２２４】
測定分布取得部３２３は、低抵抗状態の抵抗変化素子１００での前記複数の測定値、及び高抵抗状態の抵抗変化素子１００での前記複数の測定値を取得する。取得される測定値は、抵抗変化素子１００に極性の異なるパルス電圧を印加して低抵抗状態への書き込み動作及び高抵抗状態への書き込み動作を交互に複数回実施して抵抗変化素子を複数回低抵抗状態及び高抵抗状態に変化させたときの、抵抗変化素子１００の各回の低抵抗状態における測定値及び各回の高抵抗状態における測定値である（Ｓ３０１）。取得された測定値は、測定分布データ３４０として、記憶部２０１に格納される。
【０２２５】
評価量決定部３２４は、ステップＳ３０１で取得された、低抵抗状態及び高抵抗状態それぞれの複数の測定値の、中間的な代表値とばらつき量とを算出する（Ｓ３０２、Ｓ３０３）。評価量決定部３２４は、前記中間的な代表値として、前記測定値の平均値又は中間値を算出してもよく、前記ばらつき量として、前記測定値の標準偏差又は分布範囲（最大値と最小値との差分）を算出してもよい。
【０２２６】
評価量決定部３２４は、低抵抗状態及び高抵抗状態それぞれについて算出された前記代表値及び前記ばらつき量を所定の評価式に代入することにより、局所領域１０５の低抵抗状態の欠陥充填率ｐＬＲ及び高抵抗状態の欠陥充填率ｐＨＲを算出する（Ｓ３０４）。
【０２２７】
評価量決定部３２４は、局所領域の長さｌを抵抗変化層の厚さに決定する（ステップＳ３０５）。ここで、局所領域の長さｌは、評価対象の抵抗変化素子１００の抵抗変化層１０４が、単層構造（図１を参照）である場合には、抵抗変化層１０４の厚さに決定され、積層構造（図２を参照）である場合には、第２抵抗変化層１０４２の厚さに決定される。局所領域の長さｌとして決定される抵抗変化層の厚さは、抵抗変化素子１００における設計値であってもよい。
【０２２８】
評価量決定部３２４は、決定された局所領域の長さｌ、並びに、低抵抗状態及び高抵抗状態のそれぞれについて算出された前記代表値及びばらつき量を所定の評価式に代入することにより、局所領域１０５の面積Ｓを算出する（ステップＳ３０６）。
【０２２９】
以上のステップを実行することにより、局所領域の構造的な特性に関する物理パラメータである局所領域の長さｌ、面積Ｓ、低抵抗状態での欠陥充填率ｐＬＲ、高抵抗状態での欠陥充填率ｐＨＲが決定される。
【０２３０】
ステップＳ３０４、Ｓ３０６で用いられる評価式の具体例について説明を続ける。
【０２３１】
高抵抗状態及び低抵抗状態における抵抗変化素子１００での前記測定値は、一例として、それぞれの抵抗状態における抵抗変化素子１００に読み出し用電圧を印加したときに流れる電流値（以下、読み出し電流値と言う）である。当該電流値には、抵抗変化素子１００内の局所領域１０５と直列に接続されている領域の抵抗成分の影響が含まれていてもよい。
【０２３２】
局所領域１０５の面積Ｓ及び低抵抗状態での欠陥充填率ｐＬＲは、低抵抗状態における抵抗変化素子１００で測定された読み出し電流値から、式（３）、（４）に示される評価式によって求められる。
【０２３３】
【数３】
2014207046.tif 000005
【０２３４】
ここで、Ｓは局所領域１０５の面積、ｌは局所領域１０５の長さ、ｐＬＲは低抵抗状態の局所領域１０５の欠陥充填率、Ｖｒｅａｄは読み出し用電圧、Ｉｒｅａｄは低抵抗状態の抵抗変化素子１００での読み出し電流の平均値または中間値、σｒｅａｄは低抵抗状態の抵抗変化素子１００での読み出し電流の標準偏差、Ｒｅｘｔは局所領域１０５と直列に接続される抵抗成分を示す。
【０２３５】
局所領域１０５の面積Ｓ及び高抵抗状態での欠陥充填率ｐＨＲは、高抵抗状態における抵抗変化素子１００で測定された読み出し電流値から、式（５）、（６）に示される評価式によって算出される。
【０２３６】
【数４】
2014207046.tif 000006
【０２３７】
ここで、Ｓは局所領域１０５の面積、ｌは局所領域１０５の長さ、ｐＨＲは高抵抗状態の局所領域１０５の欠陥充填率、Ｖｒｅａｄは読み出し用電圧、Ｉｒｅａｄは高抵抗状態の抵抗変化素子１００での読み出し電流の平均値または中間値、σｒｅａｄは高抵抗状態の抵抗変化素子１００での読み出し電流の標準偏差、Ｒｅｘｔは局所領域１０５と直列に接続されている領域の抵抗成分を示す。
【０２３８】
なお、局所領域１０５の面積Ｓと長さｌとは、低抵抗状態でも高抵抗状態でも同じであることから、局所領域１０５の面積Ｓは、式（３）及び式（５）の何れか一方によって決定すればよい。
【０２３９】
また、式（３）〜（６）で、読み出し電流の標準偏差σの代わりに、読み出し電流の最大値と最小値との差分である分布範囲を用いてもよい。
【０２４０】
図１６は、抵抗変化素子１００で測定された複数の読み出し電流の標準偏差と、当該複数の読み出し電流の分布範囲との関係を示すグラフである。読み出し電流の標準偏差と分布範囲との間には、非常に強い相関が見られる。そのため、式（３）〜（６）で、読み出し電流の標準偏差σの代わりに分布範囲を用いても、標準偏差σを用いた場合と略同一の評価量を得ることができる。
【０２４１】
本願発明者らは、実際に作製した抵抗変化素子１００のサンプルを前記評価方法に従って評価する実験を行った。以下、当該実験について説明する。
【０２４２】
当該実験では、抵抗変化素子１００のサンプルを２種類の駆動条件で抵抗変化させ、前記評価方法に従って、それぞれの駆動条件の下で、当該サンプルにおける局所領域１０５の物理パラメータの評価量を決定した。当該サンプルの局所領域１０５の長さｌは、抵抗変化層の厚さと等しい、６．５ｎｍである。
【０２４３】
まず、前記サンプルに極性の異なるパルス電圧（−２．４Ｖ、＋２．４Ｖ：第１の駆動条件）を印加することにより、低抵抗状態への書き込み動作及び高抵抗状態への書き込み動作を交互に１００回実施して抵抗変化素子を１００回低抵抗状態及び高抵抗状態にした。その過程で、前記サンプルでの各回の低抵抗状態における読み出し電流値及び各回の高抵抗状態における読み出し電流値を測定した。
【０２４４】
図１７Ａに、前記サンプルで実際に測定された電流値の測定分布の一例を示す正規確率プロットと、当該電流値の測定分布から式（３）及び式（４）、式（６）に従って算出された、局所領域１０５の面積Ｓ、低抵抗状態の欠陥充填率ｐＬＲ、及び高抵抗状態の欠陥充填率ｐＨＲを示す。電流値は任意単位で表される。
【０２４５】
また、前記サンプルに極性の異なるパルス電圧（−２．８Ｖ、＋２．２Ｖ：第２の駆動条件）を印加することにより、低抵抗状態への書き込み動作及び高抵抗状態への書き込み動作を交互に１００回実施して抵抗変化素子を１００回低抵抗状態及び高抵抗状態にした。その過程で、前記サンプルでの各回の低抵抗状態における読み出し電流値及び各回の高抵抗状態における読み出し電流値を測定した。
【０２４６】
図１７Ｂに、前記サンプルで実際に測定された電流値の測定分布の一例を示す正規確率プロットと、当該電流値の測定分布から式（３）及び式（４）、式（６）に従って算出された、局所領域１０５の面積Ｓ、低抵抗状態の欠陥充填率ｐＬＲ、及び高抵抗状態の欠陥充填率ｐＨＲを示す。電流値は任意単位で表される。
【０２４７】
図１７Ａ及び図１７Ｂから、同一のサンプルに異なる駆動条件で書き込みを行うことにより、局所領域１０５の面積Ｓ、及び欠陥充填率ｐＬＲ、ｐＨＲの異なる評価量が得られた。これにより、前記評価方法によれば、駆動条件の違いが、物理パラメータの異なる評価量に反映されることが分かった。
【０２４８】
以上説明したように、実施の形態２の抵抗変化素子の評価方法および評価装置によれば、抵抗変化素子１００の抵抗状態を複数回変化させたときの各変化の後の抵抗状態の測定値の分布から、抵抗変化素子１００の局所領域１０５の構造的な特性に関する物理パラメータの評価量を決定できる。
【０２４９】
前記測定値は、局所領域１０５の抵抗状態が複数回変化できる状態を保ったまま、つまり抵抗変化素子１００を破壊することなく、取得される。そのため、前記評価量の決定は、抵抗変化素子１００が不揮発性記憶装置などの製品に組み込まれてからでも、製品の状態のまま非破壊で、かつ、評価用の特別な抵抗変化素子を用意することなく、行うことができる。
【０２５０】
決定された前記評価量は、例えば、抵抗変化素子１００の良否判定やスクリーニングに用いることができる。
【０２５１】
例えば、良否判定部３２５にて、物理パラメータの評価量が所定の条件を満たさない抵抗変化素子１００を不良であると判定することができる。そして、不良であると判定された抵抗変化素子１００をスクリーニングすることにより、抵抗変化素子１００を用いて構成される製品の歩留まりや信頼性を向上させることができる。抵抗変化素子１００の良否判定及びスクリーニングについては後ほど詳しく説明する。
【０２５２】
（実施の形態３）
［７．物理パラメータの評価量に基づく抵抗変化素子の信頼性評価］
実施の形態３に係る抵抗変化素子の評価方法について説明する。実施の形態３に係る評価方法は、局所領域１０５の物理パラメータの評価量を用いて、抵抗変化素子１００の抵抗変化動作に関する信頼性を評価する方法である。
【０２５３】
以下では、抵抗変化素子１００の信頼性を評価する方法の一例として、局所領域１０５の物理パラメータの評価量が所定の条件を満たすか否かに基づいて、抵抗変化素子１００が正常であるか不良であるかを判定する方法について説明する。
【０２５４】
まず、抵抗変化素子１００が正常であるか不良であるかを判定するための判定条件について説明する。以下で説明する判定条件は、本願発明者らが行ったいくつかの実験の結果から見出された一例である。
【０２５５】
１つの実験では、抵抗変化素子１００の多数のサンプルを様々な駆動条件で複数回低抵抗状態及び高抵抗状態に変化させ、上述の評価方法に従って、各サンプルの低抵抗状態の欠陥充填率ｐＬＲの評価量と高抵抗状態の欠陥充填率ｐＨＲの評価量とを決定した。そして、全てのサンブルを低抵抗状態に変化させ、１７５℃の高温下に５０時間放置した後、放置前後の読み出し電流値から、リテンション劣化率＝（放置前読み出し電流値−放置後読み出し電流値）／放置前読み出し電流値を算出した。当該リテンション劣化率は、各サンプルの低抵抗状態のリテンション特性を表す。
【０２５６】
図１８Ａは、各サンプルの低抵抗状態のリテンション劣化率の、低抵抗状態の欠陥充填率ｐＬＲ及び高抵抗状態の欠陥充填率ｐＨＲへの依存性の一例を示す散布図である。リテンション劣化率が所定のしきい値（例えば、３０パーセント）以上のサンプルを×で示し、リテンション劣化率が前記しきい値未満のサンプルを○で示している。
【０２５７】
この結果は、低抵抗状態の欠陥充填率ｐＬＲの評価量と高抵抗状態の欠陥充填率ｐＨＲの評価量とが特定の条件を満たす（図１８Ａでは、斜線の左下側の領域にある）抵抗変化素子１００は、リテンション劣化率が前記しきい値以上になる確率が増え、データ保持の信頼性が低下することを示している。
【０２５８】
また、別の実験では、抵抗変化素子１００の多数のサンプルを様々な駆動条件で複数回低抵抗状態及び高抵抗状態に変化させ、上述の評価方法に従って、各サンプルの低抵抗状態の欠陥充填率ｐＬＲの評価量と高抵抗状態の欠陥充填率ｐＨＲの評価量とを決定した。そして、全ての抵抗変化素子１００を高抵抗抗状態に変化させ、複数回連続して読み出しを行い、各回の読み出し電流値を測定し、読み出し電流の分布範囲（最大値と最小値との差分）を算出した。
【０２５９】
図１８Ｂは、各サンプルの高抵抗状態の読み出し電流の分布範囲の、低抵抗状態の欠陥充填率ｐＬＲ及び高抵抗状態の欠陥充填率ｐＨＲへの依存性の一例を示す散布図である。読み出し電流の分布範囲が所定のしきい値（例えば、５μＡ）以上のサンプルを×で示し、読み出し電流の分布範囲が前記しきい値未満のサンプルを○で示している。
【０２６０】
この結果は、高抵抗状態の欠陥充填率ｐＨＲの評価量が特定の条件を満たす（図１８Ｂでは、横線の上側の領域にある）抵抗変化素子は、高抵抗状態の読み出し電流の分布範囲が前記しきい値以上になる確率が増え、高抵抗状態における読み出しの信頼性が低下することを示している。
【０２６１】
これらの実験によって、局所領域１０５の構造的な特性に関する物理パラメータの評価量から、抵抗変化素子１００の抵抗変化動作に関する信頼性が予測でき、それによって、抵抗変化素子１００が正常であるか不良（潜在的な不良も含めて）であるかを判定できることが確かめられた。
【０２６２】
そこで、図８、１４に示される評価装置２００、３００の良否判定部２２５、３２５において、局所領域１０５の前記物理パラメータの評価量が所定の条件を満たすか否かに基づいて、抵抗変化素子１００が正常であるか不良であるかを判定する。上述した、リテンション劣化率が所定のしきい値（例えば、３０パーセント）以上になる欠陥充填率ｐＬＲ、ｐＨＲの条件（図１８Ａ）、及び読み出し電流の分布範囲が所定のしきい値（例えば、５μＡ）以上になる欠陥充填率ｐＬＲ、ｐＨＲの条件（図１８Ｂ）は、何れも前記所定の条件の一例である。
【０２６３】
このような良否判定を、抵抗変化素子１００の使用前や使用中に行うことにより、将来誤動作を起こし得る抵抗変化素子１００を事前に発見することができる。
【０２６４】
なお、上記では、低抵抗状態でのリテンション劣化率及び高抵抗状態での読み出し電流の分布範囲のそれぞれを単一のしきい値と比較することにより、抵抗変化素子１００が正常であるか不良であるかの何れかを判定したが、本発明はこの例には限定されない。
【０２６５】
例えば、複数のしきい値を用いることによって、抵抗変化素子１００を、抵抗変化動作に関する信頼性で等級分けすることもできる。つまり、上述した評価方法によれば、抵抗変化素子１００の良否判定だけでなく、抵抗変化素子１００の信頼性をより細かく定量的に評価することができる。
【０２６６】
また、上述した低抵抗状態でのリテンション劣化率及び高抵抗状態での読み出し電流の分布範囲は一例である。上述した評価方法によれば、抵抗変化素子１００の抵抗変化動作に関する信頼性を表す変量であって、かつ局所領域１０５の物理パラメータの評価量に依存するあらゆる変量に基づいて、抵抗変化素子１００の信頼性を定量的に評価することができる。
【０２６７】
また、上述した評価方法において、局所領域１０５の物理パラメータの評価量の出所は限定されない。すなわち、前記評価量は、抵抗変化素子１００の抵抗状態の測定値の分布に基づいて計算により決定された評価量には限られず、例えば、別途設けられる装置から取得される評価量であってもよい。従って、前記局所領域の構造的な特性に関する物理パラメータの評価量を取得する取得ステップと、取得された前記物理パラメータの前記評価量が所定の条件を満たすか否かに基づいて、前記抵抗変化素子が正常であるか不良であるかを判定する判定ステップと、を含む評価方法は、本発明に含まれる。
【０２６８】
［８．抵抗変化素子のスクリーニング］
（実施の形態４）
実施の形態４に係る抵抗変化素子のスクリーニング方法について説明する。実施の形態４に係るスクリーニング方法は、実施の形態３に係る評価方法に従って不良であると判定された抵抗変化素子を、修正し又は使用対象から除外する方法である。
【０２６９】
当該スクリーニング方法は、例えば、前記抵抗変化素子を検査するための検査装置や、複数の前記抵抗変化素子を有し、かつＢＩＳＴ機能を持つ不揮発性記憶装置において実行される。当該検査装置や当該不揮発性記憶装置は、評価装置２００又は３００を内蔵していてもよく、また、別体で設けられる評価装置２００、３００から抵抗変化素子が正常であるか不良であるかの判定結果を取得して、スクリーニング処理を行ってもよい。
【０２７０】
図１９は、実施の形態４に係る抵抗変化素子のスクリーニング方法の一例を示すフローチャートである。図１９に示されるスクリーニング方法は、例えば、検査装置、又はＢＩＳＴ機能を持つ不揮発性記憶装置によって、抵抗変化素子の検査時及び使用時の何れにおいても行うことができる。
【０２７１】
まず、図９又は図１５に示したフローチャートに従って、評価量が決定される（Ｓ４１０）。
【０２７２】
次に、ステップＳ４１０で決定された評価量が所定の条件を満たすか否かに基づいて、抵抗変化素子１００が正常であるか不良であるかが判定される（Ｓ４２０）。ステップＳ４２０の判定は、例えば、図１８Ａ、図１８Ｂで説明した条件に従って行われてもよい。
【０２７３】
不良であると判定された場合（Ｓ４２０でＮＧ）、抵抗変化素子１００は、使用対象から除外される（Ｓ４３０）。抵抗変化素子１００を使用対象から除外する処理は、例えば、あらかじめ設けられている冗長用の抵抗変化素子と置き換える、いわゆる救済処理によって行ってもよい。
【０２７４】
図２０は、実施の形態４に係る抵抗変化素子のスクリーニング方法の他の一例を示すフローチャートである。図２０に示されるスクリーニング方法は、例えば、検査装置、又はＢＩＳＴ機能を持つ不揮発性記憶装置によって、抵抗変化素子の検査時及び使用時の何れにおいても行うことができる。
【０２７５】
まず、図１９と同様にして評価量が決定され（Ｓ４１０）、決定された評価量から抵抗変化素子１００が正常であるか不良であるかが判定される（Ｓ４２０）。
【０２７６】
不良であると判定された場合（Ｓ４２０でＮＧ）、抵抗変化素子１００に通常の高抵抗化用の書き込み電圧よりも高い電圧の書き込み電圧を印加することによって、抵抗変化素子１００の抵抗状態を通常の高抵抗状態より抵抗値がさらに高い初期状態に近い抵抗状態に変化させる（Ｓ４４０）。その後、初期ブレイク電圧と同じ電圧を印加する初期ブレイク動作が行われ、局所領域１０５の構造が修正される（Ｓ４５０）。
【０２７７】
初期ブレイク動作の後、再び評価量が決定され、抵抗変化素子１００が正常であると判定されるまで（Ｓ４２０でＯＫ）、高抵抗化と初期ブレイク動作とが繰り返される。初期ブレイク動作を所定の回数繰り返してもなお、抵抗変化素子１００が不良であると判定される場合は、図１９のステップＳ４３０に従って、抵抗変化素子１００を使用対象から除外してもよい。
【０２７８】
以上説明したように、実施の形態４の抵抗変化素子のスクリーニング方法によれば、不良であると判定された抵抗変化素子を、修正し又は使用対象から除外するので、抵抗変化素子を用いて構成される製品の歩留まりや信頼性を向上させることができる。
【０２７９】
［９．不揮発性記憶装置］
（実施の形態５）
実施の形態５に係る抵抗変化素子の評価方法および評価装置について、図２１〜図２５を基に説明する。
【０２８０】
実施の形態５では、実施の形態１又は２の抵抗変化素子の評価方法および評価装置を用いて実現されるＢＩＳＴ機能を備えた不揮発性記憶装置（以下、単に記憶装置と言う）について説明する。
【０２８１】
実施の形態５におけるＢＩＳＴ機能は、前記記憶装置のセルフテスト機能であり、抵抗変化素子が正常であるか不良であるかを判定する判定動作と、不良と判定された抵抗変化素子を冗長用の抵抗変化素子で置き換える救済動作とを実行する。
【０２８２】
まず、実施の形態５の記憶装置の構成について、図２１を基に説明する。図２１は、実施の形態５の記憶装置の構成を示すブロック図である。
【０２８３】
図２１に示すように、実施の形態５に係る記憶装置５００は、メモリ本体部５１０と、書き込み回路５２０と、読み出し回路５３０と、データ入出力回路５４０と、アドレス入力回路５５０と、制御回路５６１と、割り込み回路５６２と、プロセッサ５６３と、コードデータベース５６４と、レジスタ５６５と、アドレス変換テーブルメモリ５６６と、ステータスフラグ５６７と、比較回路５６８とを備えている。
【０２８４】
メモリ本体部５１０は、３つのメモリ部として、履歴メモリ部５１１と、冗長メモリ部５１２と、データメモリ部４００とを備えている。
【０２８５】
図２２は、データメモリ部４００の構成を示している。データメモリ部４００は、図２２に示すように、行選択回路４０１と、ドライバ回路４０２と、列選択回路４０３と、複数のメモリセルＭｉｊ（ｉ、ｊは整数）を行列状に配置してなるメモリセルアレイ４０４と、を備えている。
【０２８６】
メモリセルＭｉｊは、抵抗変化素子Ｒｉｊと、ドレイン端子が抵抗変化素子Ｒｉｊの一端に接続されたＮ型ＭＯＳトランジスタで構成されるスイッチ素子Ｎｉｊとを備えている。
【０２８７】
さらに、データメモリ部４００は、行毎に、同一行のメモリセルＭｉｊのトランジスタＮｉｊのゲート端子に接続されるワード線ＷＬ（ｊ−１）を備えている。データメモリ部４００は、２行毎に、当該２行のメモリセルＭｉｊおよびＭｉ（ｊ＋１）（ここでは、ｊは偶数）のトランジスタＮｉｊおよびＮｉ（ｊ＋１）（ここでは、ｊは偶数）のソース端子に接続されるソース線ＳＬ（ｊ−１）を備えている。
【０２８８】
さらに、データメモリ部４００は、列毎に、同一列のメモリセルＭｉｊの抵抗変化素子Ｒｉｊの一端に接続されるビット線ＢＬ（ｉ−１）を備えている。すなわち、ワード線ＷＬ（ｊ−１）とビット線ＢＬ（ｉ−１）との交点に、メモリセルＭｉｊが設けられている。
【０２８９】
ドライバ回路４０２は、ワード線ＷＬに印加する電圧を生成するワード線ドライバ回路ＷＬＤと、ソース線ＳＬに印加する電圧を生成するソース線ドライバ回路ＳＬＤとを備えている。
【０２９０】
行選択回路４０１は、比較回路５６８から出力された行アドレス信号を受け取り、この行アドレス信号に対応するワード線ＷＬｋ（ｋは整数）に対し、ワード線ドライバ回路ＷＬＤを介して、所定の電圧を印加する。同様に、行選択回路４０１は、比較回路５６８から出力された行アドレス信号に対応するソース線ＳＬｈ（ｈは整数）に対し、ソース線ドライバ回路ＳＬＤを介して、所定の電圧を印加する。
【０２９１】
列選択回路４０３は、比較回路５６８から出力された行アドレス信号を受け取り、この行アドレス信号に対応するビット線ＢＬｌ（ｌは整数）に対し、所定の電圧を印加する。
【０２９２】
なお、履歴メモリ部５１１および冗長メモリ部５１２の構成は、メモリセルの数は異なる場合があるが、データメモリ部４００の構成と基本的に同じである。
【０２９３】
制御回路５６１は、記憶装置５００を構成する各機能を制御する。制御回路５６１は、実施の形態５では、外部から入力されるＢＩＳＴイネーブル信号ＥＮおよびコントロール信号ＣＴＬ等に応じて、プロセッサ５６３に対し、各種動作を行わせる。具体的には、制御回路５６１は、コードデータベース５６４内の、各種動作の処理手順を示すプログラムを格納したアドレス（開始アドレス）を、プロセッサ５６３に指示する。ここでのＢＩＳＴ動作は、データメモリ部４００の抵抗変化素子のスクリーニング、および、不良素子であると判定された抵抗変化素子を含むメモリセルを、冗長セルアレイのメモリセルに置き換える動作を含む。
【０２９４】
プロセッサ５６３は、制御回路５６１により指示されたコードデータベース５６４のアドレス（テスト開始アドレス）から順次コードを読み出すことにより、各種動作を実行する。例えば、ＢＩＳＴ動作を規定したプログラムのアドレスが指定された場合、プロセッサ５６３は、ＢＩＳＴ動作を行う。各種動作には、初期ブレイク動作、書き込み動作および読み出し動作が含まれる。
【０２９５】
書き込み動作では、プロセッサ５６３は、レジスタ５６５に対し書き込み動作におけるアドレスおよびデータを書き込む。このとき、書き込み回路５２０は、レジスタ５６５に書き込まれたアドレスおよびデータに基づいて、書き込み動作を行う。
【０２９６】
また、読み出し動作では、プロセッサ５６３は、レジスタ５６５に対し書き込み動作におけるアドレスを書き込む。このとき、読み出し回路５３０は、レジスタ５６５に書き込まれたアドレスに基づいてデータメモリ部４００からデータを読み出し、レジスタ５６５に書き込む。初期ブレイク動作では、プロセッサ５６３は、レジスタ５６５に対し初期ブレイク動作におけるアドレスを書き込む。このとき、書き込み回路５２０は、レジスタ５６５に書き込まれたアドレスに基づいて、初期ブレイク動作を行う。
【０２９７】
書き込み回路５２０は、高抵抗状態への書き込み動作で用いる電圧を生成する高抵抗化ドライバ５２１と、低抵抗状態への書き込み動作で用いる電圧を生成する低抵抗化ドライバ５２２と、初期ブレイク動作で用いる電圧を生成する初期化ドライバ５２３とを備えている。
【０２９８】
読み出し回路５３０は、メモリセルに流れる電流値から、メモリセルに書き込まれた値を判定する。なお、実施の形態５の読み出し回路５３０は、通常の読み出し動作では、低抵抗状態であるか高抵抗状態であるかを判別すればよいため、読み出した電流値と１つの閾値とを比較する（または電圧換算値同士を比較する）。読み出し回路５３０は、ＢＩＳＴ動作時には、複数の閾値との比較を行うように構成する等、詳細な抵抗値を求めることが可能となるように構成している。
【０２９９】
データ入出力回路５４０は、端子ＤＱを介して入力データおよび出力データの入出力処理を行う。
【０３００】
アドレス入力回路５５０は、外部から入力されるアドレス信号を受け取る。
【０３０１】
次に、実施の形態５におけるＢＩＳＴ動作（初期化後の不良判定）について、図２３〜図２５を基に説明する。図２３は、記憶装置５００におけるＢＩＳＴ動作の処理手順を示すフローチャートである。
【０３０２】
図２３に示すように、記憶装置５００の制御回路５６１は、記憶装置５００の製造後、外部からＢＩＳＴイネーブル信号ＥＮが入力されると、割り込み回路５６２を介して、プロセッサ５６３に対し、ＢＩＳＴ動作を規定したプログラムの開始アドレスを含む割込要求を出力する（Ｓ５１０）。
【０３０３】
プロセッサ５６３は、コードデータベース５６４に格納された命令を、割込要求で指定されたアドレスから順次読み出す（Ｓ５２０）。
【０３０４】
プロセッサ５６３は、まず、冗長セルに対して、局所領域の物理パラメータの評価量を求めて不良であるか否かを判定し、利用可能な冗長セル数を求める（Ｓ５３０）。
【０３０５】
プロセッサ５６３は、次に、データメモリ部４００のメモリセルに対して、局所領域の物理パラメータの評価量を求めて不良であるか否かを判定する。さらに、プロセッサ５６３は、不良と判定された不良セル数が利用可能な冗長セル数より少ない場合は、正常チップであると判定し、不良と判定された不良セル数が利用可能な冗長セル数より多い場合は、不良チップであると判定し、判定結果をＢＩＳＴ結果として外部に出力する（Ｓ５４０）。
【０３０６】
ステップＳ５３０の冗長セルの検証について、図２４を基に説明する。図２４は、冗長セルの検証の処理手順を示すフローチャートである。
【０３０７】
プロセッサ５６３は、カウンタの計数値Ｎｒを０に設定する。計数値Ｎｒは、利用可能な冗長セル数に対応する（Ｓ５３１）。
【０３０８】
プロセッサ５６３は、書き込み回路５２０を用いて、冗長セルに対する初期ブレイク動作を行う。これにより、冗長セルの抵抗変化素子に局所領域が形成され、抵抗状態が高抵抗状態と低抵抗状態との間で変化可能な状態となる。その後、冗長セルに対し、書き込み用の負電圧パルスおよび正電圧パルスを交互に加え、それぞれの書き込み動作後の抵抗変化素子の抵抗値を、抵抗状態別（高抵抗状態および低抵抗状態別）にレジスタ５６５に記憶する（Ｓ５３２）。
【０３０９】
プロセッサ５６３は、実際に測定した冗長セルの高抵抗状態における抵抗値の測定分布と低抵抗状態における抵抗値の測定分布とをそれぞれ表す対数正規分布のパラメータを計算し、レジスタ５６５に保存する（Ｓ５３３）。
【０３１０】
プロセッサ５６３は、ステップＳ５３３で得た高抵抗状態における測定分布及び低抵抗状態における測定分布のそれぞれを、予め作成しておいたデータベースの理論分布（図７の理論分布データ２３０）と比較し、局所領域の物理パラメータの評価量を決定する（Ｓ５３４）。当該ステップの処理は、図９におけるステップＳ２３０と同じである。
【０３１１】
プロセッサ５６３は、ステップＳ５３４で求めた局所領域の物理パラメータの評価量が、所定の基準範囲内であるか否かを判定する（Ｓ５３５）。プロセッサ５６３は、局所領域の物理パラメータの評価量が、基準範囲内である場合、利用可能な冗長セルであると判定し（Ｓ５３５で「正常」）、カウンタの計数値Ｎｒに１を足す（Ｓ５３６）。プロセッサ５６３は、ステップＳ５３５で不良と判定された冗長セルのアドレスを、アドレス変換テーブルメモリ５６６に記憶する。
【０３１２】
プロセッサ５６３は、検査した冗長セル数が、冗長メモリ部５１２の冗長セル数より少ないか否かを判定し（Ｓ５３７）、少ない場合は、次の冗長セルに対し、ステップＳ５３２〜ステップＳ５３６の処理を行う。
【０３１３】
プロセッサ５６３は、全ての冗長セルに対する検査の終了後、カウンタの計数値Ｎｒを利用可能な冗長セル数として記憶する。
【０３１４】
ステップＳ５４０のデータメモリ部の検証について、図２５を基に説明する。図２５は、データメモリ部４００のメモリセルセルの検証の処理手順を示すフローチャートである。
【０３１５】
プロセッサ５６３は、カウンタの計数値Ｎを０に設定する（Ｓ５４１）。この計数値Ｎは、不良と判定されたメモリセル（以下、適宜「不良セル」と称する）の数に対応する。
【０３１６】
プロセッサ５６３は、書き込み回路５２０を用いて、初期ブレイク動作を行う。これにより、メモリセルＭｉｊの抵抗変化素子Ｒｉｊに局所領域が形成され、抵抗状態が高抵抗状態と低抵抗状態との間で変化可能な状態となる。その後、メモリセルＭｉｊに対し、書き込み用の負電圧パルスおよび正電圧パルスを交互に加え、それぞれの書き込み動作後の抵抗変化素子Ｒｉｊの抵抗値を、抵抗状態別（高抵抗状態および低抵抗状態別）にレジスタ５６５に記憶する（Ｓ５４２）。
【０３１７】
プロセッサ５６３は、実際に測定した高抵抗状態における抵抗値の測定分布と低抵抗状態における抵抗値の測定分布とをそれぞれ表す対数正規分布のパラメータを計算し、レジスタ５６５に保存する（Ｓ５４３）。
【０３１８】
プロセッサ５６３は、ステップＳ５４３で得た高抵抗状態における測定分布及び低抵抗状態における測定分布のそれぞれを、予め作成しておいたデータベースの理論分布と比較し、局所領域の物理パラメータの評価量を決定する（Ｓ５４４）。当該ステップの処理は、図９におけるステップＳ２３０と同じである。
【０３１９】
プロセッサ５６３は、ステップＳ５４４で求めた局所領域の物理パラメータの評価量が、所定の基準範囲内であるか否かを判定する（Ｓ５４５）。プロセッサ５６３は、局所領域の物理パラメータの評価量が、基準範囲外である場合、不良と判定し（Ｓ５４５で「不良」）、カウンタの計数値Ｎに１を足す（Ｓ５４６）。プロセッサ５６３は、ステップＳ５４５で不良と判定されたメモリセルのアドレスを、アドレス変換テーブルメモリ５６６に記憶する。
【０３２０】
プロセッサ５６３は、ステップＳ５４５でメモリセルＭｉｊが正常であると判定された場合またはステップＳ５４６で計数値を更新した場合、不良と判定された不良セルの数（＝Ｎ）が利用可能な冗長セル数（＝Ｎｒ）より少ないか否かを判定する（Ｓ５４７）。
【０３２１】
プロセッサ５６３は、ステップＳ５４７において、不良セルの数Ｎが冗長セルの数Ｎｒより多い場合は（ステップＳ５４７で「Ｎ」）、救済不可能なメモリセルが存在することになるため、不良チップと判定する（Ｓ５４８）。このとき、プロセッサ５６３は、ＢＩＳＴの結果として、ステータスフラグ５６７に、フェイル情報（Ｓｔａｔｕｓ＝Ｆａｉｌ）を書き込む。
【０３２２】
プロセッサ５６３は、ステップＳ５４７において、不良セルの数Ｎが利用可能な冗長セル数Ｎｒより少ないと判定した場合は（Ｓ５４７で「ＹＥＳ」）、検査したメモリセル数が、データメモリ部４００のメモリセル数より少ないか否かを判定する（Ｓ５４９）。
【０３２３】
プロセッサ５６３は、ステップＳ５４９において、検査したメモリセル数が、データメモリ部４００のメモリセル数より少ないと判定した場合は（Ｓ５４９でＹＥＳ）、未検査のメモリセルに対し、ステップＳ５４２〜ステップＳ５４７の処理を行う。
【０３２４】
プロセッサ５６３は、ステップＳ５４９において、検査したメモリセル数が、データメモリ部４００のメモリセル数以上であると判定した場合は（ステップＳ５４９でＮＯ）、つまり、データメモリ部４００内のすべてのメモリセルを検査したと判定した場合、正常チップであると判定する（Ｓ５５０）。このとき、プロセッサ５６３は、ＢＩＳＴの結果として、ステータスフラグ５６７に、パス情報（Ｓｔａｔｕｓ＝Ｐａｓｓ）を書き込む。
【０３２５】
プロセッサ５６３は、ステップＳ５５０で正常チップであると判定された場合、不良セルの救済のため、データメモリ部４００の不良セルのアドレスと、利用可能な冗長セルのアドレスとを対応させる変換テーブルを作成し、アドレス変換テーブルメモリ５６６に記憶する（Ｓ５５１）。
【０３２６】
プロセッサ５６３は、ステータスフラグ５６７に書き込んだＢＩＳＴのパス／フェイル結果、および、冗長メモリ部５１２の冗長セルそれぞれの使用／未使用の情報を、履歴メモリ部５１１に書き込む（Ｓ５５２）。
【０３２７】
なお、これらのテスト結果情報およびフェイルアドレス情報は、テストの実行後に、データ入出力回路５４０を介して出力され、外部のＩＣ（Ｉｎｔｅｇｒａｔｅｄ  Ｃｉｒｃｕｉｔ）テスタ等でモニタされる。履歴メモリ部５１１に記憶されたデータを読み出すことにより、フェイルカテゴリの作成および歩留まり解析を容易に実施できる。
【０３２８】
また、不良セルは、製造直後（初期ブレイク動作実施直後）だけでなく、製品出荷後も発生すると考えられる。このため、適宜ＢＩＳＴ（例えば、メモリ診断）を実行するように構成してもよい。このメモリ診断は、上述したスクリーニング時の動作のうち、初期ブレイク動作を除く動作となる。
【０３２９】
以上説明したように、実施の形態５では、実施の形態３の抵抗変化素子の評価方法および評価装置を利用して、記憶装置のＢＩＳＴを構成している。上述したように、実施の形態３の抵抗変化素子の評価方法および評価装置を用いることで、製品の状態で、記憶装置に含まれる全ての抵抗変化素子１００の局所領域１０５の物理パラメータを定量化できる。
【０３３０】
実施の形態５では、実施の形態３の抵抗変化素子の評価方法および評価装置を、ＢＩＳＴおよびスクリーニングに用いるので、ＢＩＳＴ等の機能を容易に実現することができる。
【０３３１】
［１０．変形例］
以上、本発明に係る抵抗変化素子の評価方法および抵抗変化素子の評価装置について、実施形態および実施例に基づいて説明したが、本発明はこれらの実施形態および実施例に限定されるものではない。各実施形態および実施例に対して当業者が思いつく各種変形を施して得られる形態や、本発明の趣旨を逸脱しない範囲で各実施形態および実施例における構成要素および機能を任意に組み合わせることで実現される形態も本発明に含まれる。
【０３３２】
例えば、前記物理パラメータが所望の参照量である前記局所領域のモデルから理論的に導出される単一の理論分布と、実際の抵抗変化素子での測定分布とを比較し、前記理論分布と前記測定分布とが所定の度合いで合致するときに、前記物理パラメータの前記評価量を前記参照量に決定してもよい。
【０３３３】
このような決定は、多数の理論分布を用意しなくても行うことができるので、例えば、前記抵抗変化素子の前記物理パラメータの評価量が当該所望の参照量であるか否かだけを判定したい場合などに、有効である。
【０３３４】
また、例えば、理論分布は、前記評価装置内にあらかじめ記憶されている必要は必ずしもなく、評価方法を実行する都度、前記評価装置で算出してもよく、又は別途設けられる装置から供給されてもよい。
【０３３５】
また、例えば、前記抵抗変化素子の前記局所領域の抵抗状態を複数回変化させたときの各変化の後の当該抵抗状態を表す測定値を取得するために、前記評価装置が、前記抵抗変化素子の抵抗状態を変化させかつ測定を行ってもよく、また、前記評価装置と接続されている検査装置や、不揮発性記憶装置内の書き込み回路及び読み出し回路を駆動することによって、前記抵抗変化素子の抵抗状態を変化させかつ測定を行ってもよい。また、前記評価装置は、前記抵抗変化素子の抵抗状態を変化させかつ測定する動作には関与せず、別途設けられる装置によって前記抵抗変化素子をあらかじめ測定して得られた測定値を取得して、前記評価方法を実行してもよい。
【産業上の利用可能性】
【０３３６】
本発明は、抵抗変化素子の評価方法及びスクリーニング方法として、抵抗変化素子の評価装置、検査装置、及び抵抗変化素子を用いて構成される種々の製品、例えば不揮発性記憶装置など、に利用できる。
【符号の説明】
【０３３７】
１００、９００    抵抗変化素子
１０１    基板
１０２    層間絶縁膜
１０３    第１電極
１０４    抵抗変化層
１０４１  第１抵抗変化層
１０４２  第２抵抗変化層
１０５    局所領域
１０６    第２電極
２００    評価装置
２０１    記憶部
２０２    プロセッサ
２０３    入力装置
２０４    出力装置
２２０    評価プログラム
２２１    理論分布導出部
２２２    データベース作成部
２２３    測定分布取得部
２２４    評価量決定部
２２５    良否判定部
２３０    理論分布データ
２４０    測定分布データ
３００    評価装置
３２０    評価プログラム
３２３    測定分布取得部
３２４    評価量決定部
３２５    良否判定部
３４０    測定分布データ
３５０    評価式
４００    データメモリ部
４０１    行選択回路
４０２    ドライバ回路
４０３    列選択回路
４０４    メモリセルアレイ
５００    記憶装置
５１０    メモリ本体部
５１１    履歴メモリ部
５１２    冗長メモリ部
５２０    書き込み回路
５２１    高抵抗化ドライバ
５２２    低抵抗化ドライバ
５２３    初期化ドライバ
５３０    読み出し回路
５４０    データ入出力回路
５５０    アドレス入力回路
５６１    制御回路
５６２    割り込み回路
５６３    プロセッサ
５６４    コードデータベース
５６５    レジスタ
５６６    アドレス変換テーブルメモリ
５６７    ステータスフラグ
５６８    比較回路
【図１】
2014207046.tif 000007
【図２】
2014207046.tif 000008
【図３】
2014207046.tif 000009
【図４】
2014207046.tif 000010
【図５Ａ】
2014207046.tif 000011
【図５Ｂ】
2014207046.tif 000012
【図５Ｃ】
2014207046.tif 000013
【図６】
2014207046.tif 000014
【図７】
2014207046.tif 000015
【図８】
2014207046.tif 000016
【図９】
2014207046.tif 000017
【図１０】
2014207046.tif 000018
【図１３】
2014207046.tif 000019
【図１４】
2014207046.tif 000020
【図１５】
2014207046.tif 000021
【図１６】
2014207046.tif 000022
【図１７Ａ】
2014207046.tif 000023
【図１７Ｂ】
2014207046.tif 000024
【図１８Ａ】
2014207046.tif 000025
【図１８Ｂ】
2014207046.tif 000026
【図１９】
2014207046.tif 000027
【図２０】
2014207046.tif 000028
【図２１】
2014207046.tif 000029
【図２２】
2014207046.tif 000030
【図２３】
2014207046.tif 000031
【図２４】
2014207046.tif 000032
【図２５】
2014207046.tif 000033
【図２６】
2014207046.tif 000034
【図１１】
2014207046.tif 000035
【図１２】
2014207046.tif 000036